(57)【要約】【課題】旅行業に好適に用いることができる現金入出金機を提供する。【解決手段】各種データが入力される入力部と、入力部から各ツアーに付与されたツアーナンバーの入力を受け付け、受け付けられたツアーナンバーを記憶部に登録し（Ｓ１１０）、登録されたツアーナンバー毎に、預入取引で入金される預入金と預入取引後の入金取引で入金される返済金との合計金額から、預入取引と入金取引との間で出金された持出金の金額を差し引いた金額を集計して、各ツアーの売上金額を算出する（Ｓ４１０〜Ｓ４４０）制御部とを有する。【選択図】図４
2015118554.tif 000002
【特許請求の範囲】
【請求項１】
各種データが入力される入力部と、
前記入力部から各ツアーに付与されたツアーナンバーの入力を受け付け、当該受け付けられたツアーナンバーを記憶部に登録し、当該登録されたツアーナンバー毎に、各ツアーの売上金額を算出する制御部とを有する
ことを特徴とする現金入出金機。
【請求項２】
請求項１に記載の現金入出金機において、
前記各ツアーの売上金額は、預入取引で入金される預入金と当該預入取引後の入金取引で入金される返済金との合計金額から、当該預入取引と当該入金取引との間で出金された持出金の金額を差し引いた金額である
ことを特徴とする現金入出金機。
【請求項３】
請求項２に記載の現金入出金機において、
前記制御部は、前記各ツアーのツアーナンバーに対応付けて前記各ツアーの売上金を管理する売上金データを記憶部に登録し、各ツアーナンバーに対し、前記入金取引で前記返済金が入金されるか又は前記入金取引でツアーの売上金額がゼロであることを表す売上ゼロデータが入力されるまで当該売上金データを抹消不能な状態にし、前記返済金の入金後又は当該売上ゼロデータの入力後に当該売上金データを抹消可能な状態にする
ことを特徴とする現金入出金機。
【請求項４】
請求項１乃至請求項３のいずれか一項に記載の現金入出金機において、
さらに、前記売上金が収納される売上回収庫を有し、
前記制御部は、前記売上金の回収を行う売上回収取引時に、その時点でツアーの売上金額を算出する精算が終了している精算済みツアーナンバーの売上金を前記売上回収庫に収納させ、当該売上回収庫に収納された売上金の回収を操作者に促す画像を表示部に表示させる
ことを特徴とする現金入出金機。
【請求項５】
請求項４に記載の現金入出金機において、
前記制御部は、前記売上回収取引時に、前記精算済みツアーナンバーの売上金に加え、その時点で精算が終了していない未精算ツアーナンバーの売上金も前記売上回収庫に収納させ、当該売上回収庫に収納された売上金の回収を操作者に促す画像を表示部に表示させる
ことを特徴とする現金入出金機。
【請求項６】
請求項１乃至請求項５のいずれか一項に記載の現金入出金機において、
さらに、レシートを発行するレシートプリンタを有し、
前記制御部は、預入金が入金される預入取引、持出金が出金される出金取引、及び、返済金が入金される入金取引の各取引時に、前記レシートプリンタに、各取引で入出金された金額が印字されたレシートを発行させる
ことを特徴とする現金入出金機。
【請求項７】
請求項６に記載の現金入出金機において、
前記制御部は、前記入金取引時に、前記ツアーナンバーの入力、並びに、前記返済金の入金及び前記返済金の内訳の金額の入力を受け付け、当該入金された返済金の金額と当該入力された返済金の内訳の金額との過不足金額を算出することによって、前記入力されたツアーナンバーに該当するツアーの売上金を精算し、前記レシートプリンタに、前記過不足金額が印字されたツアー精算レシートを発行させる
ことを特徴とする現金入出金機。
【請求項８】
請求項６又は請求項７に記載の現金入出金機において、
前記制御部は、売上金として回収する現金の金額を確定する締め上げ取引時に、前記レシートプリンタに、その時点でツアーの売上金額を算出する精算が終了している精算済みツアーナンバーの売上金額が印字された精算済みツアー集計レシートと、その時点で精算が終了していない未精算ツアーナンバーの売上金額が印字された未精算ツアー集計レシートとを発行させる
ことを特徴とする現金入出金機。
【請求項９】
請求項６乃至請求項８のいずれか一項に記載の現金入出金機において、
前記制御部は、いずれかのツアーが中止された場合に、前記入金取引で、当該中止されたツアーの売上金額がゼロであることを表す売上ゼロデータの入力を受け付け、任意の取引時に、前記レシートプリンタに、売上金額がゼロであることが印字されたレシートを発行させる
ことを特徴とする現金入出金機。
【請求項１０】
各種データが入力される入力部を有する現金入出金機が実行する売上金回収方法であって、
事前に、前記入力部から各ツアーに付与されたツアーナンバーの入力を受け付け、当該受け付けられたツアーナンバーを記憶部に登録する処理と、売上金の回収を行う売上回収取引時に、当該登録されたツアーナンバー毎に、各ツアーの売上金額を算出する処理とを実行する
ことを特徴とする売上金回収方法。
【請求項１１】
各種データが入力される入力部を有する現金入出金機の制御部に実行させるプログラムであって、
事前に、前記入力部から各ツアーに付与されたツアーナンバーの入力を受け付け、当該受け付けられたツアーナンバーを記憶部に登録する処理と、売上金の回収を行う売上回収取引時に、当該登録されたツアーナンバー毎に、各ツアーの売上金額を算出する処理とを実行させる
ことを特徴とするプログラム。
【発明の詳細な説明】
【技術分野】
【０００１】
本発明は、旅行業に好適に用いることができる現金入出金機、当該現金入出金機を用いる売上金回収方法、及び、当該現金入出金機の制御部に実行させるプログラムに関する。
【背景技術】
【０００２】
従来、百貨店やスーパーマーケット、コンビニエンスストア等の小売り流通業では、現金入出金機（以下、「装置」と称する場合もある）が広く用いられている（例えば、特許文献１参照）。
【０００３】
現金入出金機は、現金を管理するための装置である。現金入出金機は、例えば、小売り流通業の事務所に設置され、レジ釣銭用の釣銭準備金を出金したり、店舗のキャッシュレジスタに収納されている現金（釣銭準備金及び売上金）を入金したり、入金された現金を精算したりする。ここで、「レジ釣銭」とは、店舗のキャッシュレジスタに予め収納され、釣銭として使用される現金を意味している。また、「精算」とは、装置に入金されたキャッシュレジスタ（単体）の現金の合計金額（以下、「合計入金額」と称する）を集計して、合計入金額と釣銭準備金の金額とに基づいて、当該キャッシュレジスタの売上金の金額（以下、「売上金額」と称する）を算出する処理を意味している。
【０００４】
現金入出金機は、例えば、「釣銭出金取引」や、「入金取引」、「締め上げ取引」、「売上回収取引」等の取引を行うことができる。
「釣銭出金取引」とは、現金を現金入出金機に予め収納しておき、その一部をレジ釣銭用の釣銭準備金として出金する取引である。釣銭出金取引で出金された釣銭準備金は、キャッシュレジスタに収納される。
「売上入金取引」とは、店舗での売上金の現金入出金機に入金する取引である。売上入金取引では、キャッシュレジスタに収納されている現金が、キャッシュレジスタから取り出されて現金入出金機に入金される。このとき、釣銭出金取引で出金された釣銭準備金も、売上金と一緒に現金入出金機に入金される。
「締め上げ取引」とは、現金入出金機に入金された全てのキャッシュレジスタの売上金の合計額を集計して、売上の回収金として回収する現金（以下、「回収売上金」と称する）の金額（以下、「回収売上金額」と称する）を確定する取引である。
「売上回収取引」とは、現金入出金機に収納されている回収売上金額分の現金を回収売上金として操作者に回収させる取引である。
【０００５】
従来の現金入出金機は、小売り流通業で用いることが想定されている。その小売り流通業では、各キャッシュレジスタに収納された釣銭準備金が基本的に一定の金額に保たれており、その金額は減ることがない。
【０００６】
そのため、小売り流通業の現金管理では、任意のキャッシュレジスタの売上金を精算する場合に、前記した売上入金取引で当該キャッシュレジスタから取り出されて現金入出金機に入金された現金の合計金額（合計入金額）から、前記した釣銭出金取引で現金入出金機から出金されて当該キャッシュレジスタに収納された釣銭準備金の合計金額（以下、「合計出金額」と称する）を差し引いた差額が、「売上金額」になる、という計算式（集計方法）が成り立つ。
【０００７】
つまり、小売り流通業の現金管理では、各キャッシュレジスタの「売上金額」は、「売上金額＝（合計入金額−合計出金額）」という計算式（集計方法）が成り立つ。小売り流通業は、このような単純な計算式（集計方法）で現金管理を行うことができるため、通常の現金入出金機を用いて比較的容易に現金管理を行うことができる。
【先行技術文献】
【特許文献】
【０００８】
【特許文献１】特開２０１０−２０４７７４号公報
【発明の概要】
【発明が解決しようとする課題】
【０００９】
しかしながら、従来の現金入出金機は、以下に説明するように、旅行業の現金管理に用いることを試みる場合に、旅行業が小売り流通業の計算式（集計方法）とは異なる複雑な計算式（集計方法）で現金管理を行う必要があるため、旅行業の現金管理に用いることが困難である、という課題があった。
【００１０】
以下に、図２０を参照して、小売り流通業の現金の運用フローと旅行業の現金の運用フローとの違いを説明し、もって、前記した従来の現金入出金機の課題を詳細に説明する。図２０は、従来の現金入出金機の運用フローを示す説明図である。
【００１１】
（小売り流通業の現金の運用フロー）
図２０は、現金入出金機とレジナンバー１，２，３の３台のキャッシュレジスタとの間で移動する現金の流れを示している。ここでは、一例として、日付が８月１９日となっている日の、現金入出金機とレジナンバー１のキャッシュレジスタとの間で移動する現金の流れについてのみ説明する。
【００１２】
図２０に示す例では、現金入出金機は、Ｆ６０５で、釣銭出金取引が行われている。その結果、Ｆ６０５で、現金入出金機に収納されていた現金（釣銭準備金）が、現金入出金機からレジナンバー１のキャッシュレジスタに移動している。また、現金入出金機は、Ｆ６１０で、入金取引が行われている。その結果、Ｆ６１０で、レジナンバー１のキャッシュレジスタに収納されていた現金（釣銭準備金及び売上金）が、キャッシュレジスタから現金入出金機に移動している。また、現金入出金機は、Ｆ６１５で、締め上げ取引が行われ、その後に、Ｆ６２０で、売上回収取引が行われている。
【００１３】
（１）小売り流通業の現金管理は、レジナンバーに基づいて行われている。レジナンバーは、各キャッシュレジスタに付与された固有の固定値である。各キャッシュレジスタは、レジカードが装着される構成になっている。レジナンバーは、そのレジカードに登録されている。
【００１４】
現金入出金機は、例えば、前記した釣銭出金取引時（図２０に示すＦ６０５の処理時）に、レジカードからレジナンバーを読み取り、そのレジナンバーのキャッシュレジスタに対して設定された釣銭準備金を出金する。その際に、現金入出金機は、レジナンバーに基づいて、釣銭準備金を出金した時点からの、各キャッシュレジスタの売上金の集計管理を開始する。
【００１５】
（２）キャッシュレジスタには、釣銭出金取引で現金入出金機から出金された釣銭準備金が収納される。また、キャッシュレジスタには、売上が発生する度に、その売上に伴う売上金が、釣銭準備金に追加された形で収納される。
【００１６】
（３）現金入出金機は、前記した売上入金取引時（図２０に示すＦ６１０の処理時）に、レジカードからレジナンバーを読み取るとともに、そのレジナンバーに該当するキャッシュレジスタに収納されていた現金（釣銭準備金及び売上金）の入金を受け付ける。その際に、現金入出金機は、レジナンバーに基づいて、該当キャッシュレジスタの売上金額を算出して、該当キャッシュレジスタの売上金を精算する。
【００１７】
（４）現金入出金機は、各営業日の売上金額を集計する必要がある。そのため、現金入出金機は、売上入金取引の実行の有無に関係なく、ほぼ１日に１回、前記した締め上げ取引を行う。現金入出金機は、締め上げ取引時（図２０に示すＦ６１５の処理時）に、レジナンバーに基づいて、装置に入金された全てのキャッシュレジスタの売上金額の合計額を集計して、回収売上金額（売上の回収金として回収する回収売上金の金額）を確定する。
【００１８】
締め上げ取引時に、入金取引が行われていないレジナンバーが存在していれば、現金入出金機は、運用に応じて、「（その時点で）清算する」か、又は、「翌日分として送る」かを選択する。
【００１９】
（５）現金入出金機は、各営業日の売上金を操作者に回収させる必要がある。そのため、現金入出金機は、売上入金取引の実行の有無に関係なく、ほぼ１日に１回、前記した売上回収取引を行う。ただし、現金入出金機は、締め上げ取引が１回でも行っていなければ、売上回収取引を行うことができない。そのため、現金入出金機は、１日に１回以上締め上げ取引を行う必要がある。
【００２０】
現金入出金機は、売上回収取引時（図２０に示すＦ６２０の処理時）に、締め上げ取引で確定された回収売上金額分の現金を回収売上金として売上回収庫に収納して、回収売上金を操作者に回収させる。なお、小売り流通業の現金管理では、通常、警備会社や金融機関の警送員が売上回収取引時の操作者となる。
【００２１】
小売り流通業は、このような現金の運用フローになっている。そのため、小売り流通業は、前記した「売上金額＝（合計入金額−合計出金額）」という単純な計算式（集計方法）で、各キャッシュレジスタの売上金を集計することができ、その結果、小売り流通業は、通常の現金入出金機を用いて比較的容易に現金管理を行うことができる。
【００２２】
（旅行業の現金の運用フロー）
このような小売り流通業に対し、例えばバスツアー等の団体ツアーを企画する旅行業は、現金の運用フローが異なる。そのため、旅行業は、小売り流通業のように通常の現金入出金機を用いて現金管理を行うことができない。以下に、旅行業の現金の運用フローについて説明する。
【００２３】
（１）旅行業の現金管理は、ツアーナンバーに基づいて行われている。ツアーナンバーは、各ツアーに付与された可変値である。ツアーナンバーは、同様のツアープランであっても、決行日時や時間帯によって異なっている。
【００２４】
（２）旅行業では、旅行会社が、ツアー客からツアーの代金として預入金（例えば、２００万円）を預かり、事務所で保管する。以下、預入金の金額を「預入金額」と称する。事務所の出納係は、預入金額を、ツアーナンバー毎にツアーの売上を管理する帳簿（管理台帳）に記載する。預入金は、ツアーが決行されて、ツアー客が参加した場合に、ツアーの売上金となる。
【００２５】
（３）ツアーの添乗員は、ツアーの出発前に、事務所に保管されている預入金（例えば、２００万円）の中から、運転手代や駐車場代、施設入場料等のツアーで支払いが生じる各種経費分の現金（例えば、１００万円）を予め持ち出す。以下、ツアーで支払いが生じる経費を（「ツアーの経費」と称する）。また、ツアーの経費の金額を「経費金額」と称する。また、持ち出された現金を「持出金」と称する。また、持出金の金額を「持出金額」と称する。事務所の出納係は、持出金額を管理台帳に記載する。
【００２６】
（４）添乗員は、ツアーの決行中に、持出金の中からツアーの経費分の現金を支払う。その際に、添乗員は、支払われたツアーの経費金額が記載された各種領収書を支払い先から取得する。
【００２７】
（５）また、添乗員は、例えば、ツアーの決行中に、ツアー客がオプショナルツアー（以下、「Ｏｐツアー」と称する場合がある）に参加する場合に、ツアー客からＯｐツアーの追加代金（例えば、１０万円）を徴収する。その際に、添乗員は、Ｏｐツアーの追加代金の金額（以下、「追加代金額」と称する）が記載された領収書をＯｐツアーに参加したツアー客に発行するとともに、領収書の写しを手元に残す。
【００２８】
（６）添乗員は、ツアー終了後に、「各種領収書（写しを含む）」と手元に残っている現金（持出金の残金及びＯｐツアーの追加代金）とを、事務所に提出する。以下、添乗員が事務所に提出する現金を「返済金」と称する。また、返済金の金額を「返済金額」と称する。
【００２９】
「返済金額」は、「返済金額＝（持出金額−経費金額＋Ｏｐツアーの追加代金額）」という計算式（集計方法）が成り立つ。前記した例では、「返済金額」は、例えば、「返済金額＝（持出金額−経費金額＋Ｏｐツアーの追加代金額）＝（１００万円−８０万円＋１０万円）＝３０万円」となる。その結果、添乗員は、返済金として、３０万円を事務所に返却する。
【００３０】
（７）事務所の出納係は、ツアーナンバー毎に、管理台帳に記載されている添乗員が持ち出した「持出金額」と、添乗員が提出した各種領収書に記載された「経費金額」及び「Ｏｐツアーの追加代金額」と、添乗員が返却した返済金の「返済金額（すなわち、持出金の残金額）」とを突き合わせして、過不足金の発生や売上に対する不正な処理がないかをチェックする。出納係は、過不足金の発生や売上に対する不正な処理がなければ、各種領収書に記載された「経費金額」及び「Ｏｐツアーの追加代金額」を管理台帳に記載する。
【００３１】
（８）「売上金額」は、「売上金額＝（預入金額−持出金額＋返済金額）」という計算式（集計方法）が成り立つ。出納係は、管理台帳に基づいて、この計算式（集計方法）によって、ツアー毎に売上金額を集計する。前記した例では、「売上金額」は、例えば、「売上金額＝（預入金額−持出金額＋返済金額）＝（２００万円−１００万円＋３０万円）＝１３０万円」となる。
【００３２】
（ａ）このように旅行業は、人（事務所の出納係）を介して管理台帳等で現金を管理している。そのため、夜間終了するツアー等については、翌日或いはそれ以降に精算せざるを得なかった。また、旅行業は、現金の持ち出し期間が長期化することによって、様々な障害（例えば、過不足金の発生や売上に対する不正な処理、売上金の盗難等）が発生する可能性がある。そのため、例えば、夜間終了するツアー等のように添乗員の帰りが遅くなる場合は、できるだけ早く現金を回収するために、事務所員（事務所に勤務する管理者や出納係等）が深夜まで事務所に残り、添乗員の帰りを待つ必要があった。
【００３３】
（ｂ）旅行業（特に、バスツアー等の団体ツアー）では、添乗員によって持ち出された持出金は、基本的にツアーで生じる各種経費（例えば、運転手代や駐車場代、施設入場料等）の支払いに使用され、事務所に戻って来ないことが前提になっている。そのため、旅行業の現金管理は、小売り流通業と同様の集計方法を適用した場合に、マイナスの売上金額が発生してしまう。したがって、旅行業の現金管理は、小売り流通業と同様の集計方法を適用することができなかった。
【００３４】
（ｃ）小売り流通業の現金管理に用いるレジナンバーは、キャッシュレジスタ毎に、固定登録されている。しかしながら、流通業の現金管理に用いるツアーナンバーは、可変になっている。例えば、ツアーナンバーは、ツアー毎に異なっており、たとえ、同様のツアープランであっても、決行日時や時間帯によって異なっている。また、ツアーナンバーは、短期間に繰り返し再利用される場合がある。
【００３５】
（ｄ）小売り流通業は、「締め上げ」を実施することで、集計営業日を切り替えている。しかしながら、ツアーには集計営業日という概念がない。そのため、旅行会社は、添乗員がツアー終了後に手元に残っている現金を返済金として事務所に返済した時点で、ツアーナンバーを抹消しなければならない。また、旅行会社は、「締め上げ」取引の実行の有無に関係なく、精算（返済）が終了しているツアー分の売上金だけを回収しなければならない。
【００３６】
これらの要因により、通常の現金入出金機は、流通業の現金管理に適用することができなかった。
【００３７】
本発明は、前記した課題を解決するためになされたものであり、旅行業に好適に用いることができる現金入出金機、当該現金入出金機を用いる売上金回収方法、及び、当該現金入出金機の制御部に実行させるプログラムを提供することを主な目的とする。
【課題を解決するための手段】
【００３８】
前記目的を達成するため、第１発明は、現金入出金機であって、各種データが入力される入力部と、前記入力部から各ツアーに付与されたツアーナンバーの入力を受け付け、当該受け付けられたツアーナンバーを記憶部に登録し、当該登録されたツアーナンバー毎に、各ツアーの売上金額を算出する制御部とを有する構成とする。
【００３９】
この現金入出金機は、入力部から各ツアーに付与されたツアーナンバーの入力を受け付け、受け付けられたツアーナンバーを記憶部に登録する。そして、この現金入出金機は、登録されたツアーナンバー毎に、各ツアーの売上金額を算出する。この現金入出金機は、ツアー毎に、同様のツアープランであっても、決行日時や時間帯によって異なる、可変値であるツアーナンバーを受け付けることができるため、旅行業の現金管理に好適に適用することができる。
【００４０】
また、第２発明は、各種データが入力される入力部を有する現金入出金機が実行する売上金回収方法であって、事前に、前記入力部から各ツアーに付与されたツアーナンバーの入力を受け付け、当該受け付けられたツアーナンバーを記憶部に登録する処理と、売上金の回収を行う売上回収取引時に、当該登録されたツアーナンバー毎に、各ツアーの売上金額を算出する処理とを実行する構成とする。
【００４１】
この売上金回収方法は、事前に、入力部から各ツアーに付与されたツアーナンバーの入力を受け付け、受け付けられたツアーナンバーを記憶部に登録しておく。そして、この売上金回収方法は、登録されたツアーナンバー毎に、各ツアーの売上金額を算出する。この売上金回収方法は、ツアー毎に、同様のツアープランであっても、決行日時や時間帯によって異なる、可変値であるツアーナンバーを受け付けることができるため、旅行業の現金管理に好適に適用することができる。
【００４２】
また、第３発明は、各種データが入力される入力部を有する現金入出金機の制御部に実行させるプログラムであって、事前に、前記入力部から各ツアーに付与されたツアーナンバーの入力を受け付け、当該受け付けられたツアーナンバーを記憶部に登録する処理と、売上金の回収を行う売上回収取引時に、当該登録されたツアーナンバー毎に、各ツアーの売上金額を算出する処理とを実行させる構成とする。
【００４３】
このプログラムは、事前に、入力部から各ツアーに付与されたツアーナンバーの入力を受け付け、受け付けられたツアーナンバーを記憶部に登録しておく。そして、このプログラムは、現金入出金機が、登録されたツアーナンバー毎に、各ツアーの売上金額を算出する。このプログラムは、ツアー毎に、同様のツアープランであっても、決行日時や時間帯によって異なる、可変値であるツアーナンバーを受け付けることができるため、旅行業の現金管理に好適に適用することができる。
【発明の効果】
【００４４】
本発明によれば、旅行業に好適に用いることができる現金入出金機、当該現金入出金機を用いる売上金回収方法、及び、当該現金入出金機の制御部に実行させるプログラムを提供することができる。
【図面の簡単な説明】
【００４５】
【図１】実施形態１に係る現金入出金機の構成を示す図である。
【図２】実施形態１に係る現金入出金機の機能構成を示す図である。
【図３Ａ】実施形態１で用いるツアー管理データの一例を示す図である。
【図３Ｂ】実施形態１で用いる売上金データの一例を示す図である。
【図４】実施形態１に係る現金入出金機の動作を示す説明図である。
【図５】実施形態１で用いる売上金の集計説明図である。
【図６】実施形態１に係る現金入出金機の運用フローを示す説明図である。
【図７】実施形態１で用いる表示画面の一例を示す図（１）である。
【図８】実施形態１で用いる表示画面の一例を示す図（２）である。
【図９】実施形態１で用いる表示画面の一例を示す図（３）である。
【図１０】実施形態１で用いる表示画面の一例を示す図（４）である。
【図１１】実施形態１で用いる表示画面の一例を示す図（５）である。
【図１２】実施形態１で用いる表示画面の一例を示す図（６）である。
【図１３】実施形態１で用いる表示画面の一例を示す図（７）である。
【図１４】実施形態１で用いる表示画面の一例を示す図（８）である。
【図１５】実施形態１で発行するレシートの一例を示す図（１）である。
【図１６】実施形態１で発行するレシートの一例を示す図（２）である。
【図１７】実施形態１で発行するレシートの一例を示す図（３）である。
【図１８】実施形態２で用いる売上金の集計説明図である。
【図１９】実施形態２で発行するレシートの一例を示す図である。
【図２０】従来の現金入出金機の運用フローを示す説明図である。
【発明を実施するための形態】
【００４６】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００４７】
［実施形態１］
＜現金入出金機の構成＞
以下、図１及び図２を参照して、本実施形態１に係る現金入出金機の構成につき説明する。図１は、実施形態１に係る現金入出金機の構成を示す図である。図２は、実施形態１に係る現金入出金機の機能構成を示す図である。
【００４８】
本実施形態１に係る現金入出金機１は、現金を管理するための装置である。以下、現金入出金機１を「装置」と称する場合もある。現金入出金機１は、例えば、旅行会社の事務所やバスの発着場等に設置され、従来、人（出納係や添乗員）を介して行われていたツアーの現金管理（例えば、ツアーナンバーの管理や、現金（持出金）の持ち出し、ツアー終了後の返済金の集計等）を行うことができる構成となっている。
【００４９】
現金入出金機１は、「出金取引」や、「入金取引」、「両替取引」、「計数取引」、「預入取引」、「抜取取引」、「締め上げ取引」、「売上回収取引」等（図７（ｃ）参照）の取引を実行することができる。
【００５０】
「出金取引」とは、現金を現金入出金機１に予め収納しておき、その一部をツアーの経費等で使用される現金（持出金）として一時的に出金する取引である。
「入金取引」とは、ツアー終了後に添乗員の手元に残っている現金を返済金として現金入出金機１に入金する取引である。
「両替取引」とは、例えば、１０枚の千円券を１枚の万円券に両替する場合のように、装置に投入された現金を現金入出金機１に収納されている他の金種の現金と交換する取引である。
「計数取引」とは、現金入出金機１に投入された現金を計数する取引である。
【００５１】
「預入取引」とは、ツアーの出発前に、ツアー客から旅行会社に預けられた預入金を現金入出金機１に入金する取引である。
「抜取取引」とは、現金入出金機１から現金を一時的に抜き取る取引である。
「締め上げ取引」とは、現金入出金機１に入金された全てのツアーの売上金の合計額を集計して、回収売上金額（売上の回収金として回収する回収売上金の金額）を確定する取引である。
「売上回収取引」とは、現金入出金機１に入金された回収売上金分の現金を操作者に回収させる取引である。
【００５２】
図１に示すように、現金入出金機１は、制御部２、記憶部３、カードリーダ部４、操作表示部５、紙幣搬送部６ａ、硬貨搬送部６ｂ、レシートプリンタ７、紙幣部８ａ、及び、硬貨部８ｂを有している。
【００５３】
制御部２は、現金入出金機１の各部の動作を制御する機能手段である。制御部２は、ＣＰＵによって構成されている。
記憶部３は、取引の実行に用いる各種の制御プログラムやデータを格納する記憶手段である。記憶部３は、ＲＡＭやＲＯＭ、ＨＤＤ等によって構成されている。
【００５４】
カードリーダ部４は、操作者によって所持されるカードから情報を読み取る構成要素である。カードリーダ部４は、取引開始時に、操作者によって所持されるＩＤカード等から情報を読み取る。本実施形態１では、例えば、旅行会社の事務所で勤務している管理者や出納係等の事務所員、並びに、旅行会社のツアーの添乗員が、現金入出金機１の操作者となる。
【００５５】
操作表示部５は、操作者の操作を受け付けたり、操作に必要な様々な文字や画面を表示したりする構成要素である。ここでは、操作表示部５がタッチパネルと液晶ディスプレイ（ＬＣＤ）とを組み合わせた構成になっている場合を想定して説明する。
【００５６】
紙幣搬送部６ａは、紙幣を搬送する機構である。
硬貨搬送部６ｂは、硬貨を搬送する機構である。
レシートプリンタ７は、取引結果をロール紙等の紙媒体に印字して、レシートを発行する構成要素である。
【００５７】
紙幣部８ａは、紙幣を取り扱う構成要素である。紙幣部８ａは、内部が紙幣部フロント扉９ａ（以下、単に「扉９ａ」と称する場合もある）によって封鎖されており、扉９ａを開けることで内部にアクセスすることができる。紙幣部８ａは、前記した紙幣搬送部６ａ、紙幣投入口１１、紙幣一時保留部１２、紙幣鑑別部１３、リサイクルカセット１４、売上回収カセット１７、及び、リジェクト部１８を備えている。
【００５８】
紙幣投入口１１は、紙幣が投入（入金）される入金部である。ここでは、紙幣投入口１１が、出金紙幣、入金リジェクト紙幣、及び、返却紙幣を出金するための出金部も兼ねているものとして説明する。なお、「出金紙幣」は、操作者に出金する紙幣を意味している。「入金リジェクト紙幣」は、入金取引で正常紙幣（正券）として鑑別されなかったリサイクル不能な紙幣を意味している。「返却紙幣」は、入金取引時や計数取引時に、操作者の操作に基づいて返却される紙幣を意味している。
【００５９】
紙幣一時保留部１２は、紙幣を一時的に保留する場所である。現金入出金機１は、例えば、計数取引時や売上回収取引時に、紙幣を一時的に紙幣一時保留部１２に保留させる。
紙幣鑑別部１３は、紙幣を鑑別する構成要素である。
【００６０】
リサイクルカセット１４は、出金紙幣としてリサイクル可能な正常紙幣（正券）を収納する出金用現金収納部である。現金入出金機１は、出金取引時に、リサイクルカセット１４に収納された紙幣を持出金として出金する。
【００６１】
本実施形態１では、現金入出金機１が３つのリサイクルカセット１４を備えている場合を想定して説明する。以下、３つのリサイクルカセット１４を区別する場合に、それぞれを、「リサイクルカセット１４ａ」、「リサイクルカセット１４ｂ」、及び、「リサイクルカセット１４ｃ」と称する。ただし、リサイクルカセット１４の数は、設計次第で、増減することができる。
【００６２】
本実施形態１では、リサイクルカセット１４ａが一万円券を収納する万円券カセットとして使用され、リサイクルカセット１４ｂが五千円券を収納する五千円券カセットとして使用され、リサイクルカセット１４ｃが千円券を収納する千円券カセットとして使用されるものとして説明する。以下、リサイクルカセット１４ａを「万円券カセット１４ａ」と称し、リサイクルカセット１４ｂを「五千円券カセット１４ｂ」と称し、リサイクルカセット１４ｃを「千円券カセット１４ｃ」と称する場合もある。
【００６３】
現金入出金機１は、運用開始前に、装置内準備金として、装置毎に設定された金額分の一万円券、五千円券、及び、千円券を、それぞれに対応するリサイクルカセット１４ａ，１４ｂ，１４ｃに収納する。また、現金入出金機１は、入金取引時に、紙幣鑑別部１３によってリサイクル可能な正常紙幣（正券）として鑑別された一万円券、五千円券、及び、千円券を、それぞれに対応するリサイクルカセット１４ａ，１４ｂ，１４ｃに収納する。そして、現金入出金機１は、出金取引時に、リサイクルカセット１４ａ，１４ｂ，１４ｃに収納された紙幣を持出金として出金する。
【００６４】
売上回収カセット１７は、売上の回収金（回収売上金）として装置から回収する（抜き取る）紙幣を収納する売上回収庫である。以下、売上回収カセット１７を「売上回収庫１７」と称する場合もある。売上回収カセット１７は、紙幣を内部に収納した状態で持ち運ぶことが可能なカセットとして構成されている。現金入出金機１は、入金取引時や売上回収取引時に、売上金としての紙幣をリサイクルカセット１４ａ，１４ｂ，１４ｃから売上回収カセット１７に移送して、売上回収カセット１７に収納する。
【００６５】
リジェクト部１８は、紙幣鑑別部１３によってリジェクトされたリジェクト紙幣を収納する場所である。本実施形態１では、リジェクト部１８は、リジェクト紙幣を内部に収納した状態で持ち運ぶことが可能な金庫として構成されている。以下、リジェクト部１８を「紙幣リジェクト庫」と称する場合もある。現金入出金機１は、出金取引でリサイクルカセット１４から紙幣投入口１１に紙幣を移送する際に発生したリジェクト紙幣、入金取引で紙幣一時保留部１２からリサイクルカセット１４に紙幣を移送する際に発生したリジェクト紙幣、及び、売上金回収取引でリサイクルカセット１４から売上回収カセット１７に紙幣を移送する際に発生したリジェクト紙幣をリジェクト部１８に収納する。
【００６６】
硬貨部８ｂは、硬貨を取り扱う構成要素である。硬貨部８ｂは、内部が硬貨部フロント扉９ｂ（以下、単に「扉９ｂ」と称する場合もある）によって封鎖されており、扉９ｂを開けることで内部にアクセスすることができる。硬貨部８ｂは、前記した硬貨搬送部６ｂ、硬貨投入口２１、硬貨一時保留部２２、硬貨鑑別部２３、出金ホッパ２４、硬貨出金箱２５、硬貨回収庫２７、硬貨リジェクト庫２８、及び、硬貨返却箱２９を備えている。
【００６７】
硬貨投入口２１は、硬貨が投入（入金）される入金部である。
硬貨一時保留部２２は、計数取引時に硬貨を一時的に収納する場所である。
硬貨鑑別部２３は、硬貨を鑑別する構成要素である。
【００６８】
出金ホッパ２４は、出金硬貨としてリサイクル可能な正常硬貨（正常貨）を収納する出金用現金収納部である。現金入出金機１は、出金取引時に、出金ホッパ２４に収納された硬貨を持出金として出金する。
【００６９】
現金入出金機１は、運用開始前に、装置内準備金として、装置毎に設定された金額分の五百円硬貨、百円硬貨、五十円硬貨、十円硬貨、五円硬貨、及び、一円硬貨を、金種別に区分けして出金ホッパ２４に収納する。また、現金入出金機１は、入金取引時に、硬貨鑑別部２３によってリサイクル可能な正常硬貨（正常貨）として鑑別された五百円硬貨、百円硬貨、五十円硬貨、十円硬貨、五円硬貨、及び、一円硬貨を、金種別に区分けして出金ホッパ２４に収納する。そして、現金入出金機１は、出金取引時に、出金ホッパ２４に収納された硬貨を持出金として出金する。
【００７０】
硬貨出金箱２５は、出金取引時に、出金硬貨を放出する場所である。なお、「出金硬貨」は、操作者に出金する硬貨を意味している。
【００７１】
硬貨回収庫２７は、売上の回収金（回収売上金）として装置から回収する（抜き取る）硬貨を収納する売上回収庫である。以下、硬貨回収庫２７を「売上回収庫２７」と称する場合もある。本実施形態１では、硬貨回収庫２７は、硬貨を内部に収納した状態で持ち運ぶことが可能な金庫として構成されている。現金入出金機１は、入金取引時や売上回収取引に、売上金としての硬貨を出金ホッパ２４から硬貨回収庫２７に移送して、硬貨回収庫２７に収納する。
【００７２】
硬貨リジェクト庫２８は、硬貨鑑別部２３によってリジェクトされたリジェクト硬貨を収納する場所である。本実施形態１では、硬貨リジェクト庫２８は、リジェクト硬貨を内部に収納した状態で持ち運ぶことが可能な金庫として構成されている。現金入出金機１は、出金取引で出金ホッパ２４から硬貨出金箱２５に硬貨を移送する際に発生したリジェクト硬貨、入金取引で硬貨一時保留部２２から出金ホッパ２４に硬貨を移送する際に発生したリジェクト硬貨、及び、売上金回収取引で出金ホッパ２４から硬貨回収庫２７に硬貨を移送する際に発生したリジェクト硬貨を硬貨リジェクト庫２８に収納する。
【００７３】
硬貨返却箱２９は、返却硬貨を放出する場所である。なお、「返却硬貨」は、入金取引や計数取引で、取引が取り消された場合に返却される硬貨を意味している。
【００７４】
図２に示すように、現金入出金機１の制御部２を構成するＣＰＵは、記憶部３に予め格納された制御プログラム５１を実行することにより、主制御部２ａ、搬送・鑑別制御部２ｂ、入力制御部２ｃ、表示制御部２ｄ、取引実行部２ｅ、扉監視部２ｆ、及び、抜取監視部２ｇとして機能する。
【００７５】
主制御部２ａは、現金入出金機１の全体の動作を制御する機能手段である。
搬送・鑑別制御部２ｂは、搬送部６ａ，６ｂや、鑑別部（紙幣鑑別部１３及び硬貨鑑別部２３）等の動作を制御する機能手段である。
入力制御部２ｃは、操作表示部５での入力を検知し、入力情報を取得する機能手段である。
表示制御部２ｄは、操作表示部５の表示を制御する機能手段である。
【００７６】
取引実行部２ｅは、前記した「出金取引」や、「入金取引」、「両替取引」、「計数取引」、「預入取引」、「抜取取引」、「締め上げ取引」、「売上回収取引」等（図７（ｃ）参照）の取引を実行する機能手段である。取引実行部２ｅは、入力部（ここでは、操作表示部５）から各ツアーに付与されたツアーナンバーの入力を受け付け、受け付けられたツアーナンバーを記憶部３に登録し、登録されたツアーナンバー毎に、現金入出金機１に入金された各ツアーの売上金の金額（売上金額）を集計する構成になっている。
【００７７】
扉監視部２ｆは、フロント扉（紙幣部フロント扉９ａ及び硬貨部フロント扉９ｂ（図１参照））の開閉状態を監視する機能手段である。
【００７８】
抜取監視部２ｇは、操作者による現金の抜き取りを監視する機能手段である。抜取監視部２ｇは、例えば、出金取引時に、紙幣投入口１１に放出された出金紙幣の紙幣投入口１１からの抜き取り及び硬貨出金箱２５の装置からの脱着及び装置への装着を図示せぬセンサを用いて監視する。これによって、抜取監視部２ｇは、操作者による紙幣投入口１１に放出された出金紙幣及び硬貨出金箱２５に放出された出金硬貨の抜き取りを監視する。また、抜取監視部２ｇは、例えば、入金取引時や計数取引時に、紙幣投入口１１に放出された返却紙幣の紙幣投入口１１からの抜き取り及び硬貨返金箱２９の装置からの脱着及び装置への装着を図示せぬセンサを用いて監視する。これによって、抜取監視部２ｇは、操作者による紙幣投入口１１に放出された返却紙幣及び硬貨返金箱２９に放出された返却硬貨の抜き取りを監視する。また、抜取監視部２ｇは、例えば、売上回収取引時に、売上回収庫（売上カセット１７及び硬貨回収庫２７）並びにリジェクト庫（紙幣リジェクト金庫１８及び硬貨リジェクト庫２８）の装置からの脱着及び装置への装着を図示せぬセンサを用いて監視する。これによって、抜取監視部２ｇは、操作者による売上金の回収を監視する。
【００７９】
また、現金入出金機１の記憶部３は、制御プログラム５１、画面データ５２、ツアー管理データＤ１０、及び、売上金データＤ２０を格納する。
【００８０】
制御プログラム５１は、制御部２を構成するＣＰＵを、主制御部２ａ、搬送・鑑別制御部２ｂ、入力制御部２ｃ、表示制御部２ｄ、取引実行部２ｅ、扉監視部２ｆ、及び、抜取監視部２ｇとして機能させるプログラムである。
【００８１】
画面データ５２は、取引の実行時に、各種の画面（例えば、図７〜図１４参照）を操作表示部５に表示させるためのデータである。
【００８２】
ツアー管理データＤ１０は、ツアーの売上金を管理するためのデータである。図３Ａは、本実施形態１で用いるツアー管理データＤ１０の一例を示す図である。図３Ａに示す例では、ツアー管理データＤ１０は、ツアーナンバー欄、及び、データ欄を含む構成になっている。
【００８３】
ツアーナンバー欄は、各ツアーに付されたツアーナンバーが登録される欄である。
データ欄は、各ツアーに関する諸データが登録される欄である。本実施形態１では、データ欄には、例えば、回収済みフラグや、預入金額データ、合計出金額データ、合計入金額データ、汚損金データ、支出申告額データ、収入申告額データ、過不足データ、現金売上計データ等が登録されている。
【００８４】
回収済みフラグは、ツアーの売上金が回収済みであるか否かを表すフラグである。
預入金額データは、ツアーの預入金の金額を表すデータである。
合計出金額データは、ツアーの合計の出金額を表すデータである。
合計入金額データは、ツアーの合計の入金額を表すデータである。
汚損金データは、入金取引で入金できなかった汚損金の金額を表すデータである。汚損金データは、添乗員によって手入力される。
【００８５】
支出申告額データは、経費等で使用（支出）された申告額を表すデータである。支出申告額データは、添乗員によって手入力される。
収入申告額データは、例えばツアー先で行われたＯｐツアーの追加代金等のように、添乗員がツアー客から徴収した収入分の申告額を表すデータである。収入申告額データは、添乗員によって手入力される。
過不足データは、過不足の金額を表すデータである。
現金売上計データは、ツアーの現金売上計の合計額（売上金額）を表すデータである。
【００８６】
売上金データＤ２０は、売上金に関するデータである。図３Ｂは、本実施形態１で用いる売上金データＤ２０の一例を示す図である。図３Ｂに示す例では、売上金データＤ２０は、ツアーナンバー欄、１回目出金操作日欄、操作者欄、預入金額欄、出金額（持出金額）欄、入金額（返済金額）欄、手入力分収支金額欄、過不足金額欄、売上金額欄、精算欄、及び、締上欄を含む構成になっている。
【００８７】
ツアーナンバー欄は、各ツアーに付されたツアーナンバーが登録される欄である。
１回目出金操作日欄は、１回目の出金操作が行われた日付データが登録される欄である。
操作者欄は、持出金を出金した操作者（すなわち、出金取引を実行した添乗員）の氏名データが登録される欄である。
預入金額欄は、ツアーの預入金の金額データが登録される欄である。
出金額（持出金額）欄は、出金された持出金の金額データが登録される欄である。
入金額（返済金額）欄は、入金された返済金の金額データが登録される欄である。
【００８８】
手入力分収支金額欄は、手入力された各ツアーの申告額の収支金額データが登録される欄である。
過不足金額欄は、売上金の過不足金額データが登録される欄である。
売上金額欄は、売上金の金額データが登録される欄である。
精算欄は、売上金の精算が行われているか否かを表すデータが登録される欄である。「精算」とは、ツアー（単体）の売上金額を算出する処理を意味している。
締上欄は、締め上げ取引が行われているか否かを表すデータが登録される欄である。
【００８９】
＜現金入出金機の動作＞
以下、図４〜図１４を参照して、現金入出金機１の売上回収取引に関連する動作につき説明する。図４は、本実施形態１に係る現金入出金機１の動作を示す説明図である。図５は、本実施形態１で用いる売上金の集計説明図である。図６は、本実施形態１に係る現金入出金機１の運用フローを示す説明図である。図７〜図１４は、それぞれ、本実施形態１で用いる表示画面の一例を示す図である。
【００９０】
なお、図７〜図１４に示す例では、表示画面に含まれている文章の画像欄の中に、「確認」や「訂正」、「取消」等の文言が表示されているものがある。ここで、「確認」とは、図示せぬテンキー部に設けられた「確認」ボタンを意味している。また、「訂正」とは、図示せぬテンキー部に設けられた「訂正」ボタンを意味している。また、「取消」とは、図示せぬテンキー部に設けられた「取消」ボタンを意味している。
【００９１】
現金入出金機１は、常時、商用電源に接続されており、操作者の操作に応じていつでも取引を実行することが可能な状態となっている。なお、現金入出金機１は、取引が一定の時間以上実行されない状態が続くと、操作表示部５の液晶ディスプレイ（ＬＣＤ）のバックライトを消灯させる省電力機能を有している。しかしながら、この場合も、現金入出金機１は、操作者が操作表示部５に触れることにより、操作表示部５の液晶ディスプレイ（ＬＣＤ）のバックライトを点灯させて、すぐに操作者の操作に応じて取引を実行することが可能な状態となる。
【００９２】
ここでは、預入取引や締上取引、売上回収取引時に、事務所の管理者が現金入出金機１の操作者となり、出金取引や入金取引時に、添乗員が現金入出金機１の操作者となるものとして説明する（図４参照）。ただし、管理者以外の事務所員（例えば、出納係）が預入取引や締上取引、売上回収取引等の取引を実行する権限が与えられている場合は、事務所員が、管理者に代わって操作者となり、これらの取引を実行するようにしてもよい。
【００９３】
なお、従来の小売り流通業で用いられている現金入出金機は、売上回収取引時に、警備会社や金融機関の警送員が操作者になるが、本実施形態１に係る現金入出金機１は、売上回収取引時に、事務所員（事務所の管理者や出納係等）が、操作者となる。
【００９４】
（ツアー準備時の現金入出金機の動作）
旅行会社は、事前に、ツアー客からツアーの代金としてツアーの預入金（例えば、２００万円）を預かり、事務所で保管する。事務所の出納係は、預入金額を、ツアーナンバー毎にツアーの売上を管理する帳簿（管理台帳）に記載する。預入金は、ツアーが決行されて、ツアー客が参加した場合に、ツアーの売上金となる。なお、旅行業の現金管理では、営業日毎の売上集計という概念が無く、ツアーナンバー毎に売上集計を行う。
【００９５】
図４に示すように、事務所の管理者は、ツアーの準備時に、現金入出金機１の操作表示部５を操作して、預入取引操作を行う。このとき、管理者は、預入金を入金するツアーのツアーナンバーを入力し、預入金を現金入出金機１の入金部（紙幣投入口１１及び硬貨投入口２１）に投入する。
【００９６】
現金入出金機１は、ツアーナンバーに基づいて、現金管理を行う。ツアーナンバーは、各ツアーに付与された可変値である。したがって、ツアーナンバーは、レジナンバーのように、常に固有の固定値として存在しない。ツアーナンバーは、ツアー毎に異なっており、たとえ、同様のツアープランであっても、決行日時や時間帯によって異なっている。また、ツアーナンバーは、短期間に繰り返し再利用される場合がある。そこで、本実施形態１では、現金入出金機１は、ツアーナンバーを短期間で登録・抹消する機能を持ち、ツアーナンバー毎に売上金を管理する構成となっている。
【００９７】
例えば、現金入出金機１は、預入取引操作時に、ツアーナンバーが入力されることにより、入力されたツアーナンバーを記憶部３に格納されているツアー管理データＤ１０（図２及び図３Ａ参照）や売上金データＤ２０（図２及び図３Ｂ参照）に登録して、売上金の集計管理を開始する。
【００９８】
このような預入取引操作は、以下のようにして行われる。
まず、管理者は、現金入出金機１の操作表示部５に触れる。これにより、現金入出金機１は、操作表示部５の液晶ディスプレイ（ＬＣＤ）のバックライトを点灯させて、例えば、装置情報を呼び出すための画面（以下、「装置情報画面」と称する）ＳＣ１（図７（ａ）参照）を操作表示部５に表示する。
【００９９】
図７（ａ）に示す例では、装置情報画面ＳＣ１は、「紙幣部」ボタン及び「レシート部」ボタンを含む構成になっている。「紙幣部」ボタンは、紙幣部８ａに収納されている紙幣の枚数情報を呼び出すためのボタンである。「レシート部」ボタンは、レシートプリンタ７の印字可能枚数等の情報を呼び出すためのボタンである。図７（ａ）に示す例では、装置情報画面ＳＣ１は、操作者に、ＩＤカードをカードリーダ部４に読み取らせることを促す文章の画像を含む構成になっている。
【０１００】
管理者は、装置情報画面ＳＣ１に従って、ＩＤカードをカードリーダ部４に読み取らせる。すると、現金入出金機１は、例えば、装置情報画面ＳＣ２（図７（ｂ）参照）を操作表示部５に表示する。装置情報画面ＳＣ２は、操作者に、暗証番号の入力を促す文章の画像を含む構成になっている。
【０１０１】
管理者は、装置情報画面ＳＣ２に従って、装置情報画面ＳＣ２から暗証番号を入力する。すると、現金入出金機１は、ＩＤカードから読み取った操作者の属性データで操作者の属性を特定し（ここでは、操作者が管理者であることを特定し）、暗証番号に基づいて操作者の正当性を認証する。そして、現金入出金機１は、操作者の属性に応じて、例えば、操作者が管理者であれば、管理者用のメニュー画面ＳＣ３（図７（ｃ）参照）を操作表示部５に表示し、一方、操作者が添乗員であれば、添乗員用のメニュー画面ＳＣ４（図７（ｄ）参照）を操作表示部５に表示する。メニュー画面ＳＣ３，ＳＣ４は、それぞれ、各種の取引の実行を指示するための画面である。
【０１０２】
図７（ｃ）に示す例では、管理者用のメニュー画面ＳＣ３は、「出金」ボタン、「入金」ボタン、「両替」ボタン、「計数」ボタン、「預入」ボタン、「抜取」ボタン、「締め上げ」ボタン、及び、「売上回収」ボタンを含む構成になっている。一方、図７（ｄ）に示す例では、添乗員用のメニュー画面ＳＣ４は、「出金」ボタン及び「入金」ボタンのみを含む構成になっている。
【０１０３】
「出金」ボタンは、出金取引の実行を指示するボタンである。「出金取引」とは、前記した通り、現金を現金入出金機１に予め収納しておき、その一部をツアーの経費等で使用される現金（持出金）として一時的に出金する取引である。出金された現金（持出金）は、ツアーの添乗員によってツアー先に持ち出されて、運転手代や駐車場代、施設入場料等の各種経費の支払いに使用される。「出金取引」は、現金入出金機１が出金用現金収納部（リサイクルカセット１４及び出金ホッパ２４（図１参照））に収納されている現金（装置内準備金）の一部を持出金として出金部（紙幣投入口１１及び硬貨出金箱２５（図１参照））に出金することによって、行われる。
【０１０４】
「入金」ボタンは、入金取引の実行を指示するボタンである。「入金取引」とは、前記した通り、ツアー終了後に添乗員の手元に残っている現金を返済金として現金入出金機１に入金する取引である。「返済金」は、添乗員に持ち出された持出金の残金や、オプショナルツアー（Ｏｐツアー）の追加代金等である。「入金取引」は、操作者が売上金を入金部（紙幣投入口１１及び硬貨投入口２１（図１参照））に投入し、現金入出金機１が投入された売上金を金種別に出金用現金収納部（リサイクルカセット１４又は出金ホッパ２４（図１参照））に収納することによって、行われる。
【０１０５】
「両替」ボタンは、両替取引の実行を指示するボタンである。「両替取引」とは、前記した通り、例えば、１０枚の千円券を１枚の万円券に両替する場合のように、装置に投入された現金を現金入出金機１に収納されている他の金種の現金と交換する取引である。「両替取引」は、ツアーの売上金との関連性が低いため、詳細な説明を省略する。
【０１０６】
「計数」ボタンは、計数取引の実行を指示するボタンである。「計数取引」とは、前記した通り、現金入出金機１に投入された現金を計数する取引である。「計数取引」は、操作者が現金を入金部（紙幣投入口１１及び硬貨投入口２１）に投入し、現金入出金機１が、投入された現金の鑑別及びその金額の計数を実行し、計数された金額を操作表示部５に表示したり、レシートプリンタ７で計数された金額をレシートに印字したりすることによって、行われる。なお、このとき投入された現金は、紙幣が紙幣投入口１１から操作者に返却され、硬貨が硬貨返却箱２９から操作者に返却される。「計数取引」は、ツアーの売上金との関連性が低いため、詳細な説明を省略する。
【０１０７】
「預入」ボタンは、預入取引の実行を指示するボタンである。「預入取引」とは、前記した通り、ツアーの出発前に、ツアー客から旅行会社に預けられた預入金を現金入出金機１に入金する取引である。
【０１０８】
「抜取」ボタンは、抜取取引の実行を指示するボタンである。「抜取取引」とは、前記した通り、現金入出金機１から現金を一時的に抜き取る取引である。「抜き取り取引」は、現金精査のために現金入出金機１の内部の全ての現金を出金する場合や、入金過多により、現金が出金用現金収納部（リサイクルカセット１４又は出金ホッパ２４）から溢れそうになっている場合に行われる。「抜取取引」は、ツアーの売上金との関連性が低いため、詳細な説明を省略する。
【０１０９】
「締め上げ」ボタンは、締め上げ取引の実行を指示するボタンである。「締め上げ取引」とは、前記した通り、現金入出金機１に入金された全てのツアーの売上金の合計額を集計して、回収売上金額（売上の回収金として回収する回収売上金の金額）を確定する取引である。
【０１１０】
「売上回収」ボタンは、売上回収取引の実行を指示するボタンである。「売上回収取引」とは、前記した通り、現金入出金機１に入金された回収売上金分の現金を操作者に回収させる取引である。「売上回収取引」は、出金用現金収納部（リサイクルカセット１４及び出金ホッパ２４）に収納されている売上金を出金用現金収納部（リサイクルカセット１４及び出金ホッパ２４）に収納し、旅行会社の事務所員（好ましくは、管理者）に回収させることによって、行われる。
【０１１１】
ここでは、操作者が管理者であるため、現金入出金機１は、管理者用のメニュー画面ＳＣ３を操作表示部５に表示する。管理者は、預入取引操作を行うために、メニュー画面ＳＣ３に表示された各ボタンの中から「預入」ボタンを選択して押下する。すると、現金入出金機１は、預入取引を実行するための画面（以下、「預入取引画面」と称する）ＳＣ１１（図８（ａ）参照）を操作表示部５に表示する。図８（ａ）に示す例では、預入取引画面ＳＣ１１は、操作者（ここでは、管理者）に、ツアーナンバーの入力を促す文章の画像を含む構成になっている。
【０１１２】
管理者は、装置情報画面ＳＣ１１に従って、ツアーナンバーを入力する。すると、現金入出金機１は、預入取引画面ＳＣ１２（図８（ｂ）参照）を操作表示部５に表示する。預入取引画面ＳＣ１２は、操作者（ここでは、管理者）に、ツアー客から預かった現金（預入金）の投入を促す文章の画像を含む構成になっている。
【０１１３】
管理者は、装置情報画面ＳＣ１２に従って、預入金を入金部（紙幣投入口１１及び硬貨投入口２１）に投入する。すると、現金入出金機１は、預入取引画面ＳＣ１３（図８（ｃ）参照）を操作表示部５に表示する。預入取引画面ＳＣ１３は、操作者（ここでは、管理者）が投入した預入金の金額（預入金額）を表示する構成になっている。
【０１１４】
管理者は、このようにして、預入取引操作を行う。
現金入出金機１は、図４に示すように、預入取引操作に合わせて、入力されたツアーナンバーをツアー管理データＤ１０（図２及び図３Ａ参照）や売上金データＤ２０（図２及び図３Ｂ参照）に登録して、売上金の集計管理を開始する（Ｓ１１０）。そして、現金入出金機１は、入金部に投入された預入金を出金用現金収納（リサイクルカセット１４及び出金ホッパ２４）に収納して預入取引を実行する（Ｓ１２０）。
【０１１５】
次に、現金入出金機１は、ツアー管理データＤ１０や売上金データＤ２０（特に、データＤ１０，Ｄ２０に含まれている預入金額データ）を更新し（Ｓ１３０）、また、ツアー管理データＤ１０や売上金データＤ２０に基づいて、レシートプリンタ７で、預入金の金額（預入金額）が印字されたレシート（以下、「ツアー預入レシート」と称する）Ｒ１１（図１５（ａ）参照）を発行する（Ｓ１４０）。ここでは、ツアー預入レシートＲ１１が売上金データＤ２０（図３Ｂ参照）に登録されているツアーナンバー「Ａ２１」のデータに基づいて作成されている場合を想定して説明する。
【０１１６】
図１５（ａ）に示す例では、ツアー預入レシートＲ１１は、取引種別とレシート枚数とが１行目に印字され、取引日時が２〜３行目に印字され、操作者名が４行目に印字され、ツアーナンバーが５行目に印字されている。なお、図１５（ａ）に示す例では、取引種別が「預入」となっており、レシート枚数が「（１／１）」となっており、ツアーナンバーが「Ａ２１」となっている。また、ツアー預入レシートＲ１１は、預入金の金額（預入金額）が６行目以降に印字されている。
【０１１７】
管理者は、ツアー預入レシートＲ１１を受け取り、事務所に持ち帰って、事務所で保管する。事務所の出納係は、ツアー終了後に、売上金が回収されると、そのツアーに対し、Ｓ１４０で発行されたツアー預入レシートＲ１１と、他の処理時に発行されるレシート（例えば、Ｓ２３０で発行されるツアー持出レシートＲ２１（図１５（ｂ）参照）や、Ｓ３３０で発行されるツアー精算レシートＲ３１（図１５（ｃ）参照）、Ｓ４３０で発行される精算済みツアー集計レシートＲ４１（図１６（ａ）参照）、Ｓ４４０で発行される未精算ツアー集計レシートＲ４２（図１６（ｂ）参照）、Ｓ５３０で発行される売上回収レシートＲ５１（図１７参照））との各印字内容（特に金額データ）を突き合わせて、各レシートの印字内容を精査する。
【０１１８】
（ツアー出発前の現金入出金機の動作）
図４に示すように、添乗員は、ツアー出発前（ツアーの決行前）に、事前に、現金入出金機１の操作表示部５を操作して、出金取引操作を行う。このとき、添乗員は、添乗するツアーのツアーナンバーを入力し、持出金の金額を指定して、持出金の出金を現金入出金機１に指示する。
【０１１９】
このような出金取引操作は、以下のようにして行われる。
まず、添乗員は、現金入出金機１の操作表示部５に触れる。これにより、現金入出金機１は、操作表示部５の液晶ディスプレイ（ＬＣＤ）のバックライトを点灯させて、例えば、装置情報画面ＳＣ１（図７（ａ）参照）を操作表示部５に表示する。
【０１２０】
添乗員は、装置情報画面ＳＣ１に従って、ＩＤカードをカードリーダ部４に読み取らせる。すると、現金入出金機１は、装置情報画面ＳＣ２（図７（ｂ）参照）を操作表示部５に表示する。
【０１２１】
添乗員は、装置情報画面ＳＣ２に従って、装置情報画面ＳＣ２から暗証番号を入力する。すると、現金入出金機１は、ＩＤカードから読み取った操作者の属性データで操作者の属性を特定し（ここでは、操作者が添乗員あることを特定し）、暗証番号に基づいて操作者の正当性を認証する。そして、現金入出金機１は、操作者の属性に応じて、添乗員用のメニュー画面ＳＣ４（図７（ｄ）参照）を操作表示部５に表示する。
【０１２２】
添乗員は、出金取引操作を行うために、メニュー画面ＳＣ４に表示された各ボタンの中から「出金」ボタンを選択して押下する。すると、現金入出金機１は、出金取引を実行するための画面（以下、「出金取引画面」と称する）ＳＣ２１（図９（ａ）参照）を操作表示部５に表示する。図９（ａ）に示す例では、出金取引画面ＳＣ２１は、操作者（ここでは、添乗員）に、ツアーナンバーの入力を促す文章の画像を含む構成になっている。
【０１２３】
添乗員は、出金取引画面ＳＣ２１に従って、ツアーナンバーを入力する。すると、現金入出金機１は、出金取引画面ＳＣ２２（図９（ｂ）参照）を操作表示部５に表示する。出金取引画面ＳＣ２２は、操作者（ここでは、添乗員）に、現金（ここでは、持出金）の金額の入力を促す文章の画像を含む構成になっている。なお、現金入出金機１は、該当のツアーナンバーの預入金額以上の金額の持出金（すなわち、ツアー客から徴収されたツアーの預入金の金額以上の現金）を出金できないように、出金取引時の出金額（持出金額）を管理する。これによって、現金入出金機１は、添乗員が高額の現金を不正に持ち出すことを防止する。
【０１２４】
添乗員は、出金取引画面ＳＣ２２に従って、持出金の金額（持出金額）を入力する。すると、現金入出金機１は、出金取引画面ＳＣ２３（図９（ｃ）参照）を操作表示部５に表示する。出金取引画面ＳＣ２３は、操作者（ここでは、添乗員）が入力した持出金の金額（持出金額）を表示し、表示された持出金額が正しい場合に、図示せぬテンキー部に設けられた確認ボタンの押下を操作者（ここでは、添乗員）に促す文章の画像を含む構成になっている。
【０１２５】
現金入出金機１は、添乗員が確認ボタンを押下すると、出金取引画面ＳＣ２４（図９（ｄ）参照）を操作表示部５に表示する。出金取引画面ＳＣ２４は、操作者（ここでは、添乗員）に、現金（ここでは、持出金）の受け取りを促す文章の画像やイラスト画像を含む構成になっている。
【０１２６】
添乗員は、このようにして、出金取引操作を行う。
現金入出金機１は、図４に示すように、出金取引操作に合わせて、指定された金額分の現金を出金用現金収納部（リサイクルカセット１４及び出金ホッパ２４）から出金部（紙幣投入口１１及び硬貨出金箱２５）に搬送し、搬送された現金を持出金として出金部から放出して出金取引を実行する（Ｓ２１０）。
【０１２７】
次に、現金入出金機１は、ツアー管理データＤ１０や売上金データＤ２０（特に、データＤ１０，Ｄ２０に含まれている持出金額データ）を更新し（Ｓ２２０）、また、ツアー管理データＤ１０や売上金データＤ２０に基づいて、レシートプリンタ７で、持出金の金額（持出金額）が印字されたレシート（以下、「ツアー持出レシート」と称する）Ｒ２１（図１５（ｂ）参照）を発行する（Ｓ２３０）。
【０１２８】
図１５（ｂ）に示す例では、ツアー持出レシートＲ２１は、１〜５行目の形式がツアー預入レシートＲ１１の１〜５行目の形式と同様になっている。また、ツアー持出レシートＲ２１は、持出金の金額（持出金額）が６行目以降に印字されている。
【０１２９】
添乗員は、持出金とツアー持出レシートＲ２１とを受け取り、手元に保管する。その後、添乗員は、持出金とツアー持出レシートＲ２１とを持ってツアーに出発する。
【０１３０】
そして、添乗員は、ツアーの決行中に、持出金の中からツアーの経費分の現金を支払う。その際に、添乗員は、支払われたツアーの経費金額が記載された各種領収書を支払い先から取得する。
【０１３１】
また、添乗員は、例えば、ツアーの決行中に、ツアー客がオプショナルツアー（Ｏｐツアー）に参加する場合に、ツアー客からＯｐツアーの追加代金（例えば、１０万円）を徴収する。その際に、添乗員は、Ｏｐツアーの追加代金の金額（追加代金額）が記載された領収書をＯｐツアーに参加したツアー客に発行するとともに、領収書の写しを手元に残す。
【０１３２】
そして、添乗員は、ツアー終了後に、現金入出金機１の操作表示部５を操作して、入金取引操作を行い、これによって、返済金（すなわち、ツアー終了後に添乗員の手元に残っている持出金の残金及びＯｐツアーの追加代金等）を現金入出金機１に入金する。また、添乗員は、Ｓ２３０で発行されたツアー持出レシートＲ２１と各種領収書（写しを含む）とを事務所に提出する。
【０１３３】
（ツアー終了後の現金入出金機の動作）
添乗員は、ツアー終了後（ツアーの決行後）に、現金入出金機１の操作表示部５を操作して、入金取引操作を行う。このとき、添乗員は、添乗したツアーのツアーナンバーを入力し、返済金を現金入出金機１の入金部（紙幣投入口１１及び硬貨投入口２１）に投入する。また、このとき、仮に、返済金の中に、現金入出金機１に入金不能な汚損金があれば、添乗員は、その汚損金を入金せずに、手元に残して保管する代わりに、現金入出金機１の操作表示部５を操作して、汚損金の金額を手入力する。そして、添乗員は、汚損金を事務所に持ち帰って、事務所に返却する。また、このとき、添乗員は、入出金機１の操作表示部５を操作して、ツアーで支払われたツアーの経費の金額（経費金額）を手入力する。また、このとき、添乗員は、Ｏｐツアーの追加代金があれば、現金入出金機１の操作表示部５を操作して、Ｏｐツアーの追加代金の金額（追加代金額）を手入力する。
【０１３４】
このような入金取引操作は、以下のようにして行われる。
まず、添乗員は、出金取引操作時と同様の操作を行う。これによって、現金入出金機１は、装置情報画面ＳＣ１，ＳＣ２，ＳＣ４（図７参照）を順に操作表示部５に表示する。
【０１３５】
添乗員は、入金取引操作を行うために、メニュー画面ＳＣ４に表示された各ボタンの中から「入金」ボタンを選択して押下する。すると、現金入出金機１は、入金取引を実行するための画面（以下、「入金取引画面」と称する）ＳＣ３１（図１０（ａ）参照）を操作表示部５に表示する。図１０（ａ）に示す例では、入金取引画面ＳＣ３１は、操作者（ここでは、添乗員）に、ツアーナンバーの入力を促す文章の画像を含む構成になっている。
【０１３６】
添乗員は、入金取引画面ＳＣ３１に従って、ツアーナンバーを入力する。すると、現金入出金機１は、入金取引画面ＳＣ３２（図１０（ｂ）参照）を操作表示部５に表示する。入金取引画面ＳＣ３２は、操作者（ここでは、添乗員）に、ツアー終了後に添乗員の手元に残っている現金（返済金）の投入を促す文章の画像及びイラスト画像を含む構成になっている。
【０１３７】
添乗員は、入金取引画面ＳＣ３２に従って、返済金を投入する。すると、現金入出金機１は、入金取引画面ＳＣ３３（図１０（ｃ）参照）を操作表示部５に表示する。入金取引画面ＳＣ３３は、操作者（ここでは、添乗員）に支出申請額としてツアーの経費の合計額の手入力を促す文章の画像と支出申請額の入力欄とを含む構成になっている。
【０１３８】
添乗員は、入金取引画面ＳＣ３３に従って、支出申請額（ツアーの経費の合計額）を入力する。すると、現金入出金機１は、入金取引画面ＳＣ３４（図１０（ｄ）参照）を操作表示部５に表示する。入金取引画面ＳＣ３４は、操作者（ここでは、添乗員）に収入申請額としてオプショナルツアーでの収入金額（Ｏｐツアーの追加代金の合計額）の手入力を促す文章の画像と収入申請額の入力欄とを含む構成になっている。
【０１３９】
添乗員は、入金取引画面ＳＣ３４に従って、収入申請額（Ｏｐツアーの追加代金の合計額）を入力する。すると、現金入出金機１は、入金取引画面ＳＣ３５（図１１（ａ）参照）を操作表示部５に表示する。入金取引画面ＳＣ３５は、操作者（ここでは、添乗員）に汚損金の金額の手入力を促す文章の画像と汚損金の金額の入力欄とを含む構成になっている。なお、入金取引画面ＳＣ３５は、「汚損金がない場合は『０円』を入力して下さい。」等の文章の画像を含む構成にしてもよい。
【０１４０】
添乗員は、入金取引画面ＳＣ３５に従って、汚損金がある場合に、汚損金の金額を入力し、一方、汚損金がない場合に、「０（ゼロ）」を入力する。すると、現金入出金機１は、入金取引画面ＳＣ３６（図１１（ｂ）参照）を操作表示部５に表示する。入金取引画面ＳＣ３６は、返済金の金額（返済金額）を表示し、表示された返済金額が正しい場合に、図示せぬテンキー部に設けられた確認ボタンの押下を、また、表示された返済金額を訂正する場合に、詳細ボタンの押下を、また、返済金を追加投入する場合に、追加投入ボタンの押下を、操作者（ここでは、添乗員）に促す文章の画像と、詳細ボタンと、追加入金ボタンとを含む構成になっている。
【０１４１】
添乗員は、返済金額が誤っている場合に、詳細ボタン及び追加入金ボタンのいずれか一方を押下する。添乗員が詳細ボタンを押下した場合に、現金入出金機１は、入金取引画面ＳＣ３７（図１１（ｃ）参照）を操作表示部５に表示する。入金取引画面ＳＣ３７は、返済金額を訂正することができる構成になっている。添乗員は、返済金額が誤っている場合に、入金取引画面ＳＣ３６（図１１（ｂ）参照）の詳細ボタンを押下して、入金取引画面ＳＣ３６（図１１（ｂ）参照）を操作表示部５に表示させ、入金取引画面ＳＣ３６で返済金額を訂正する。一方、添乗員が追加入金ボタンを押下した場合に、現金入出金機１は、入金部（紙幣投入口１１及び硬貨投入口２１）を開放する。添乗員は、返済金を入金部に追加投入する。これに応じて、現金入出金機１は、追加投入された返済金を入金する。
【０１４２】
添乗員は、このようにして、入金取引操作を行う。
現金入出金機１は、図４に示すように、入金取引操作に合わせて、入金取引を実行する（Ｓ３１０）。このとき、現金入出金機１は、入金部に投入された返済金を鑑別部１３，２３（図１及び図２参照）で鑑別及び計数して（Ｓ３１１）、出金用現金収納部（リサイクルカセット１４及び出金ホッパ２４）に収納する。また、現金入出金機１は、汚損金の金額や、ツアーの経費金額（支出申告額）、Ｏｐツアーの追加代金額（収入申告額）の手入力を受け付ける（Ｓ３１２）。これらの金額は、「返済金の内訳の金額」を表している。そして、現金入出金機１は、手入力された「返済金の内訳の金額」の合計額を算出し（Ｓ３１３）、入金された「返済金の金額」と手入力された「返済金の内訳の金額」の合計額との過不足金額を算出する（Ｓ３１４）。これによって、現金入出金機１は、入力されたツアーナンバーに該当するツアーの売上金を精算する。
【０１４３】
次に、現金入出金機１は、ツアー管理データＤ１０や売上金データＤ２０を更新し（Ｓ３２０）、また、ツアー管理データＤ１０や売上金データＤ２０に基づいて、レシートプリンタ７で、ツアーの売上金額が印字されたレシート（以下、「ツアー精算レシート」と称する）Ｒ３１（図１５（ｃ）参照）を発行する（Ｓ３３０）。
【０１４４】
図１５（ｃ）に示す例では、ツアー精算レシートＲ３１は、１〜５行目の形式がツアー預入レシートＲ１１の１〜５行目の形式と同様になっている。また、ツアー精算レシートＲ３１は、返済金額や売上金額が６行目以降に印字されている。
【０１４５】
添乗員は、ツアー精算レシートＲ３１を受け取り、事務所に提出する。また、添乗員は、現金入出金機１に入金できなかった汚損金があれば、汚損金も事務所に提出する。
【０１４６】
なお、ツアーが中止になった場合は、入金取引画面ＳＣ３２の表示時に、添乗員が「現金なし」ボタンを押下する。「現金なし」ボタンは、最終的な入金額（当該中止になったツアーの総売上額）を「０円」とするデータ（以下、「売上ゼロデータ」と称する）を自動入力するためのボタンである。なお、入金取引画面ＳＣ３２は、「ツアーが中止になった場合は『入金なし』を押して下さい。」等の文章の画像を含む構成にしてもよい。また、現金入出金機１は、添乗員が最終的な入金額（当該中止になったツアーの総売上額）としての値「０（ゼロ）」を図示せぬテンキー部等から手入力できる構成にしてもよい。
【０１４７】
現金入出金機１は、入金取引画面ＳＣ３２の表示時に、添乗員が「現金なし」ボタンを押下した場合に、該当ツアーナンバーに関するデータとして売上ゼロデータを売上金データＤ２０やツアー管理データＤ１０に登録する。図３Ｂに示す売上金データＤ２０のツアーナンバーＥ３１のデータは、中止になったツアーのデータであり、売上ゼロデータが登録されている。現金入出金機１は、売上ゼロデータが売上金データＤ２０やツアー管理データＤ１０に登録されることにより、そのツアーナンバーに該当するツアーが中止になったものとして識別し、そのツアーの売上金額を「０円」で精算する。
【０１４８】
（任意のタイミングでの現金入出金機の動作）
管理者は、例えば、１日１回、任意のタイミングで、現金入出金機１の操作表示部５を操作して、締め上げ取引操作及び売上回収取引操作を行う。
【０１４９】
締め上げ取引操作は、以下のようにして行われる。
まず、管理者は、預入取引操作時と同様の操作を行う。これによって、現金入出金機１は、装置情報画面ＳＣ１，ＳＣ２，ＳＣ３（図７参照）を順に操作表示部５に表示する。
【０１５０】
管理者は、締め上げ取引操作を行うために、メニュー画面ＳＣ３に表示された各ボタンの中から「締め上げ」ボタンを選択して押下する。すると、現金入出金機１は、締め上げ取引を実行するための画面（以下、「締め上げ取引画面」と称する）ＳＣ４１（図１２（ａ）参照）を操作表示部５に表示する。図１２（ａ）に示す例では、締め上げ取引画面ＳＣ４１は、清算されていないツアーの確認を操作者に促す文章の画像と、清算されていないツアーを一覧表示する表示欄とを含む構成になっている。
【０１５１】
なお、図１２（ａ）に示す例では、締め上げ取引画面ＳＣ４１は、出金日時と、ツアーナンバーと、出金額とを含む構成になっている。ここで、締め上げ取引画面ＳＣ４１に含まれている「出金日時」は、好ましくは、添乗員が持出金をどれくらいの期間持ち出しているのかが分かるように、１回目の出金日を表示するとよい。また、締め上げ取引画面ＳＣ４１に含まれている「出金額」は、該当ツアーナンバーの持出金の合計額を表示するとよい。これらのデータは、例えば、売上金データＤ２０等から取得される。
【０１５２】
現金入出金機１は、管理者が締め上げ取引画面ＳＣ４１に従って操作すると、締め上げ取引画面ＳＣ４２（図１２（ｂ）参照）を操作表示部５に表示する。締め上げ取引画面ＳＣ４２は、各ツアーの売上の集計結果である総売上計を表示する構成になっている。管理者は、集計結果が正しい場合に、図示せぬテンキー部に設けられた確認ボタンを押下する。なお、管理者は、集計結果が誤っている場合に、図示せぬテンキー部に設けられた訂正ボタンを押下する。
【０１５３】
管理者は、このようにして、締め上げ取引操作を行う。
現金入出金機１は、図４に示すように、締め上げ取引操作に合わせて、ツアー管理データＤ１０や売上金データＤ２０に基づいて、ツアーの売上金額を確定して、締め上げ取引を実行する（Ｓ４１０）。
【０１５４】
次に、現金入出金機１は、ツアー管理データＤ１０や売上金データＤ２０を更新し（Ｓ４２０）、また、ツアー管理データＤ１０や売上金データＤ２０に基づいて、レシートプリンタ７で、その時点で精算が終了している精算済みツアーナンバーの売上金額が印字されたレシート（以下、「精算済みツアー集計レシート」と称する）Ｒ４１（図１６（ａ）参照）を発行し（Ｓ４３０）、さらに、その時点で精算が終了していない未精算ツアーナンバーの売上金額が印字されたレシート（以下、「未精算ツアー集計レシート」と称する）Ｒ４２（図１６（ｂ）参照）を発行する（Ｓ４４０）。これにより、現金入出金機１は、売上金の集計管理を終了する。
【０１５５】
図１６（ａ）に示す例では、精算済みツアー集計レシートＲ４１は、１〜４行目の形式がツアー預入レシートＲ１１の１〜４行目の形式と同様になっている。また、精算済みツアー集計レシートＲ４１は、「精算済みツアー一覧」と「合計」とが印字されている。「精算済みツアー一覧」は、精算済みツアーのツアーナンバーと売上金額とを表している。「合計」は、全ての精算済みツアーの売上金額の合計額を表している。
【０１５６】
また、図１６（ｂ）に示す例では、未精算ツアー集計レシートＲ４２は、１〜４行目の形式がツアー預入レシートＲ１１の１〜４行目の形式と同様になっている。また、未精算ツアー集計レシートＲ４２は、「未精算ツアー一覧」が印字されている。「未精算ツアー一覧」は、未精算ツアーのツアーナンバーと持出金額と１回目の出金日とを表している。本実施形態１では、１回目の出金日が未精算ツアー集計レシートＲ４２の「未精算ツアー一覧」に印字されている。これにより、未精算ツアー集計レシートＲ４２は、添乗員が持出金をどれくらいの期間持ち出しているのかを、管理者に知らせることができる。その結果、管理者は、持出金が長期間持ち出されている場合に、そのツアーで不正な処理が行われていないかを積極的に検証することができる。
【０１５７】
管理者は、現金入出金機１から発行された精算済みツアー集計レシートＲ４１と未精算ツアー集計レシートＲ４２とを受け取り、事務所に持ち帰って、事務所で保管する。
【０１５８】
また、売上回収取引操作は、以下のようにして行われる。
まず、管理者は、預入取引操作時と同様の操作を行う。これによって、現金入出金機１は、装置情報画面ＳＣ１，ＳＣ２，ＳＣ３（図７参照）を順に操作表示部５に表示する。
【０１５９】
管理者は、売上回収取引操作を行うために、メニュー画面ＳＣ３に表示された各ボタンの中から「売上回収」ボタンを選択して押下する。すると、現金入出金機１は、売上回収取引を実行するための画面（以下、「売上回収取引画面」と称する）ＳＣ５１（図１３（ａ）参照）を操作表示部５に表示する。図１３（ａ）に示す例では、売上回収取引画面ＳＣ５１は、集計結果が正しい場合の確認ボタンの押下を操作者（ここでは、管理者）に促す文章の画像と、回収予定額を表す表示欄とを含む構成になっている。なお、管理者は、集計結果が誤っている場合に、図示せぬテンキー部の訂正ボタンを押下する。また、管理者は、売上回収取引を中止する場合に、図示せぬテンキー部の取消ボタンを押下する。
【０１６０】
ここでは、管理者は、確認ボタンを押下するものとして説明する。すると、現金入出金機１は、売上回収取引画面ＳＣ５２（図１３（ｂ）参照）を操作表示部５に表示する。図１３（ｂ）に示す例では、売上回収取引画面ＳＣ５２は、出金用現金収納部（リサイクルカセット１４及び出金ホッパ２４）から売上回収庫（売上回収カセット１７及び硬貨回収庫２７）へ移動させる回収売上金の金種別の移動枚数の入力を操作者（ここでは、管理者）に促す文章の画像と、回収売上金の金種別の移動枚数の入力欄とを含む構成になっている。
【０１６１】
現金入出金機１は、管理者が、回収売上金の金種別の移動枚数を入力して確認ボタンを押下すると、又は、回収売上金の金種別の移動枚数を入力することなく、そのまま確認ボタンを押下すると、売上回収取引画面ＳＣ５３（図１３（ｃ）参照）を操作表示部５に表示する。図１３（ｃ）に示す例では、売上回収取引画面ＳＣ５３は、回収売上金の金種別の移動枚数が正しい場合に、図示せぬテンキー部に設けられた確認ボタンの押下を操作者に促し、一方、回収売上金の金種別の移動枚数を訂正する場合に、図示せぬテンキー部に設けられた訂正ボタンの押下を操作者に促す文章の画像を含む構成になっている。ここでは、管理者が確認ボタンを押下するものとする。
【０１６２】
管理者は、このようにして、売上回収取引操作を行う。
現金入出金機１は、図４に示すように、売上回収取引操作に合わせて、出金用現金収納部（リサイクルカセット１４及び出金ホッパ２４）に収納されている現金の中から各精算済みツアーナンバーのツアーの売上金（現金売上計）の合計金額分の現金を売上回収庫（売上回収カセット１７及び硬貨回収庫２７）に搬送し、搬送された現金を売上回収庫に収納する。そして、現金入出金機１は、売上回収庫に収納された売上金の回収を操作者に促す画像を操作表示部５に表示して、売上回収取引を実行する（Ｓ５１０）。ここでは、売上金の回収は、売上回収庫を現金入出金機１から一旦取り外して、売上回収庫から内部に収納されている現金（回収売上金）を抜き取り、空になった売上回収庫を現金入出金機１に装着することによって行われるものとして説明する。
【０１６３】
次に、現金入出金機１は、ツアー管理データＤ１０や売上金データＤ２０を更新し（Ｓ５２０）、また、ツアー管理データＤ１０や売上金データＤ２０に基づいて、レシートプリンタ７で、回収された売上金額が印字されたレシート（以下、「売上回収レシート」と称する）Ｒ５１（図１７参照）を発行する（Ｓ５３０）。ここでは、締め上げ取引が行われていることを表す「済」データが売上金データＤ２０（図３Ｂ参照）の締上欄に登録されている、ツアーナンバー「Ａ２１」とツアーナンバー「Ｅ３１」のデータに基づいて、売上回収レシートＲ５１が作成されている場合を想定して説明する。
【０１６４】
図１７に示す例では、売上回収レシートＲ５１は、１〜４行目の形式がツアー預入レシートＲ１１の１〜４行目の形式と同様になっている。また、売上回収レシートＲ５１は、売上金として回収した金額を表す記載が５〜７行目に印字されている。また、売上回収レシートＲ５１は、売上金が回収されたツアー（以下、「売上回収ツアー」と称する）の一覧が８行目以降に印字されている。
【０１６５】
なお、Ｓ５２０では、現金入出金機１は、例えば、ツアー管理データＤ１０の該当するツアーナンバーの回収済みフラグの値を、回収済みを表す値に更新する。これにより、ツアー管理データＤ１０や売上金データＤ２０における該当するツアーナンバーに関するデータが抹消可能な状態になる。現金入出金機１は、Ｓ５３０で売上回収レシートＲ５１が発行されたときに、ツアー管理データＤ１０や売上金データＤ２０から該当するツアーナンバーに関するデータを抹消する。
【０１６６】
管理者は、現金入出金機１から発行された売上回収レシートＲ５１（図１７参照）を受け取り、事務所に持ち帰って、事務所で保管する。事務所の出納係は、ツアーが終了して、売上金が回収されたツアーに対し、ツアーナンバー毎に、例えば、Ｓ１４０で発行されたツアー預入レシートＲ１１（図１５（ａ）参照）と、Ｓ２３０で発行されたツアー持出レシートＲ２１（図１５（ｂ）参照）と、Ｓ３３０で発行されたツアー精算レシートＲ３１（図１５（ｃ）参照）と、Ｓ４３０で発行された精算済みツアー集計レシートＲ４１（図１６（ａ）参照）と、Ｓ４４０で発行された未精算ツアー集計レシートＲ４２（図１６（ｂ）参照）と、Ｓ５３０で発行された売上回収レシートＲ５１（図１７参照）との各印字内容（特に金額データ）を突き合わせて、各レシートの印字内容を精査する。
【０１６７】
なお、各レシートに印字された金額は、例えば、図５に示す棒グラフの関係になっている。図５に示す例では、左端の棒の全高が預入金額を表している。また、中央の棒の点線部分の高さが出金額（持出金額）を表しており、実線部分の高さが預入金の残り額を表している。また、右端の棒の点線部分の高さが入金額（返済金額）を表しており、実線部分の高さが預入金の残り額を表している。そして、右端の棒の全高が、売上金の合計を集計した現金売上計（売上金額）となることを表している。
【０１６８】
現金入出金機１は、例えば、図６に示す現金の運用フローを行うことができる。ここでは、一例として、日付が８月１９日〜８月２０日となっている期間の、現金入出金機１と事務所の管理者或いはツアーナンバー１のツアーに添乗する添乗員との間で移動する現金の流れについて説明する。
【０１６９】
図６に示す例では、現金入出金機１は、８月１９日に、Ｆ１０５で、預入取引が行われている。その結果、Ｆ１０５で、預入金が、管理者の手元（事務所）から現金入出金機１に移動している。また、現金入出金機１は、８月１９日に、Ｆ１１０で、出金取引が行われている。その結果、Ｆ１１０で、現金入出金機１に収納されていた現金（準備金）が、持出金として現金入出金機１からツアーナンバー１のツアーの添乗員の手元に移動している。また、現金入出金機１は、８月２０日に、Ｆ１１５で、入金取引が行われている。その結果、Ｆ１１５で、ツアーナンバー１のツアーの添乗員の手元に残っていた現金が、返済金として添乗員の手元から現金入出金機１に移動している。また、現金入出金機１は、Ｆ１２０で、締め上げ取引が行われ、その後に、Ｆ１２５で、売上回収取引が行われている。このような現金入出金機１は、集計営業日という概念がツアーにないため、従来の小売り流通業で用いられている現金入出金機と異なり、日を跨いでの（特に、数日間の比較的長い期間を跨いでの）出金取引と入金取引とを許容することができる。
【０１７０】
＜現金入出金機を旅行業の現金管理に適用するための考慮すべき事項＞
現金入出金機１を旅行業の現金管理に適用するための考慮すべき事項としては、例えば、以下の事項がある。
【０１７１】
（１）現金入出金機１を旅行業の現金管理に適用する場合に、現金入出金機１は、ツアーナンバー毎に、現金を管理する必要がある。そのツアーナンバーは、同様のツアープランであっても、決行日時や時間帯によって異なる。また、ツアーナンバーは、短期間に繰り返し再利用される場合がある。そこで、本実施形態１では、現金入出金機１は、ツアーナンバーを短期間で登録・抹消する機能を持ち、ツアーナンバー毎に売上金を管理する構成となっている。
【０１７２】
例えば、本実施形態１では、現金入出金機１は、預入取引時に、ツアーナンバーが手入力され、そのツアーナンバーのツアー客から徴収したツアー代金が預入金として入金されることによって、そのツアーナンバーに関するデータがツアー管理データＤ１０や売上金データＤ２０に追加登録される。また、本実施形態１では、現金入出金機１は、売上回収取引時に、売上金が回収されると、そのツアーナンバーに関するデータがツアー管理データＤ１０や売上金データＤ２０から抹消される。
【０１７３】
（２）旅行業の現金管理では、添乗員によって持ち出される持出金の中からツアーの経費（運転手代や駐車場代、施設入場料等）分の現金が支払われる。そこで、本実施形態１では、現金入出金機１は、持出金を出金取引で出金する構成になっている。ただし、現金入出金機１は、該当のツアーナンバーの預入金額以上の金額の持出金を出金できないように、出金取引時の出金額（持出金額）を管理する。これによって、現金入出金機１は、添乗員が高額の現金を不正に持ち出すことを防止する。
【０１７４】
（３）現金入出金機１は、ツアー終了後の入金取引時に、ツアーナンバーを指定して、添乗員の手元に残っている現金（返済金）の入金を受け付ける。その際に、現金入出金機１は、売上金の金額（売上金額）を以下の式（１）による計算で集計する。
売上金額＝（預入金額−持出金額＋返済金額）    …（１）
【０１７５】
（４）現金入出金機１は、締め上げ取引時に、精算済みツアーと未精算ツアーの売上金の集計を行い、精算済みツアー集計レシートＲ４１（図１６（ａ）参照）と未精算ツアー集計レシートＲ４２（図１６（ｂ）参照）との２種類の集計レシートを発行する。
【０１７６】
（ａ）精算済みツアー集計レシートＲ４１（図１６（ａ）参照）
精算済みツアー集計レシートＲ４１は、精算されているツアーの売上金の集計額を印字したレシートである。精算済みツアー集計レシートＲ４１には、例えば、ツアーナンバー毎の、持出金額や売上金計等が印字される。
【０１７７】
精算済みツアー集計レシートＲ４１は、好ましくは、ツアーナンバー毎に、以下の項目が印字されるとよい。
・預入金額（ツアー全体の預入金額）    …ａ（例えば、２００万円）
・合計出金額（添乗員の持ち出し金額）    …ｂ（例えば、１００万円）
・合計入金額（添乗員が返済した金額）    …ｃ（例えば、３０万円）
・添乗員の手入力による支出申告額（ツアー経費金額）    …ｄ（例えば、８０万円）
・添乗員の手入力による収入申告額（Ｏｐツアー代金）    …ｅ（例えば、１０万円）
・過不足金額    …ｆ＝（ｃ−ｂ＋ｄ−ｅ）
（例えば、ｆ＝（３０万円−１００万円＋８０万円−１０万円）＝０円）
・現金売上計    …ｇ＝（ａ−ｂ＋ｃ）
（例えば、ｇ＝（２００万円−１００万円＋３０万円）＝１３０万円）
ただし、上記の金額は、一例である。
【０１７８】
（ｂ）未精算ツアー集計レシートＲ４２（図１６（ｂ）参照））
未精算ツアー集計レシートＲ４２は、未精算な状態のツアーの売上金の集計額を印字したレシートである。未精算ツアー集計レシートＲ４２は、不正防止のために、発行される。未精算ツアー集計レシートＲ４２には、例えば、精算（すなわち、入金されていないツアーナンバー一覧や、１回目の持出日（出金日）（又は、１回目の持出日からの経過日数）等が、印字される。
【０１７９】
係る構成において、現金入出金機１は、ツアーナンバーの入力を受け付け、ツアーナンバー毎に、出金用現金収納部（リサイクルカセット１４及び出金ホッパ２４）及び売上回収庫（売上回収カセット１７及び硬貨回収庫２７）に収納される売上金を集計する構成となっている。
【０１８０】
現金入出金機１は、入力部から各ツアーに付与されたツアーナンバーの入力を受け付け、受け付けられたツアーナンバーを記憶部に登録する。そして、現金入出金機１は、登録されたツアーナンバー毎に、各ツアーの売上金額を算出する。現金入出金機１は、ツアー毎に、同様のツアープランであっても、決行日時や時間帯によって異なる、可変値であるツアーナンバーを受け付けることができるため、旅行業の現金管理に好適に適用することができる。
【０１８１】
また、現金入出金機１は、ツアーナンバーの入力を受け付け、受け付けたツアーナンバーの売上金データを記憶部３に登録し、入金取引で売上金が入金されるか又はツアー中止により入金取引で売上金額としてゼロが手入力されるまで、ツアーナンバーの売上金データを抹消不能な状態にし、売上金の入金後又は売上金額としてのゼロの入力後にツアーナンバーの売上金データを抹消可能な状態にする構成となっている。
【０１８２】
また、現金入出金機１は、各ツアーのツアーナンバーに対応付けて各ツアーの売上金を管理する売上金データＤ２０を記憶部３に登録し、各ツアーナンバーに対し、入金取引で返済金が入金されるか又はツアー中止により入金取引でツアーの売上金額がゼロであることを表す売上ゼロデータが入力されるまで売上金データを抹消不能な状態にし、返済金の入金後又は売上ゼロデータＤ２０の入力後に売上金データＤ２０を抹消可能な状態にする構成となっている。
【０１８３】
また、現金入出金機１は、売上金の回収を行う売上回収取引時に、その時点で精算が終了している精算済みツアーナンバーの売上金を売上回収庫（売上回収カセット１７及び硬貨回収庫２７）に収納し、売上回収庫に収納された売上金の回収を操作者に促す画像を表示部に表示させる構成となっている。
【０１８４】
また、現金入出金機１は、売上回収取引時に、精算済みツアーナンバーの売上金に加え、その時点で精算が終了していない未精算ツアーナンバーの売上金も売上回収庫（売上回収カセット１７及び硬貨回収庫２７）に収納し、売上回収庫に収納された売上金の回収を操作者に促す画像を表示部に表示させる構成にしてもよい。
【０１８５】
また、現金入出金機１は、売上金として回収する現金の金額（ツアーの売上金額）を確定する締め上げ取引時に、レシートプリンタ７に、その時点で精算が終了している精算済みツアーナンバーの売上金額が印字された精算済みツアー集計レシートＲ４１（図１６（ａ）参照）と、その時点で精算が終了していない未精算ツアーナンバーの売上金額が印字された未精算ツアー集計レシートＲ４２（図１６（ｂ）参照）とを発行させる構成となっている。
【０１８６】
また、現金入出金機１は、いずれかのツアーが中止された場合に、入金取引で、中止されたツアーの売上金額がゼロであることを表す売上ゼロデータの入力を受け付け、任意の取引時に、レシートプリンタ７に、売上金額がゼロであることが印字されたレシート（例えば、図１６（ａ）に示す精算済みツアー集計レシートＲ４１）を発行させる構成となっている。
【０１８７】
（ａ）このような現金入出金機１は、ツアーナンバー毎に、ツアーの売上金を集計し管理することができる。また、現金入出金機１は、夜間金庫として活用することができるため、夜間終了するツアー等のように添乗員の帰りが遅くなる場合であっても、事務所員（管理者や出納係等）が深夜まで事務所に残らなくともよくなる。これにより、事務所の人員の負担を軽減することができる。つまり、ツアーにおける現金管理業務を、ツアー終了時間に関係なく、添乗員が単独で行うことができる。
【０１８８】
（ｂ）現金入出金機１は、添乗員によって持ち出される現金（持出金）に対して、マイナスの売上となる集計方法を取ることができる。
【０１８９】
（ｃ）現金入出金機１は、同様のツアープランであっても、決行日時や時間帯によって異なり、また、ツアー毎に、登録と抹消とが繰り返される、可変なツアーナンバーを用いて、ツアーナンバー毎に、売上金の集計等の現金を管理することができる。
【０１９０】
（ｄ）現金入出金機１は、添乗員がツアー終了後に手元に残っている現金を返済金として入金した時点で、ツアーナンバーを抹消することができる。また、現金入出金機１は、締め上げ取引の実行の有無に関係なく、また、集計営業日に関係なく、精算（返済）が終了しているツアー分の売上金だけを回収することができる。
【０１９１】
以上の通り、本実施形態１に係る現金入出金機１によれば、旅行業に好適に用いることができる。
【０１９２】
［実施形態２］
実施形態１のレシート（例えば、ツアー精算レシートＲ３１（図１５（ｃ）参照））は、ツアーナンバー毎の売上金の集計結果を識別することができるが、添乗員によって入金された返済金の内訳が分からない。旅行会社では、ツアーナンバー毎に、管理台帳に記載されている添乗員が持ち出した「持出金額」と、添乗員が提出した「各種領収書」と、添乗員が返却した「返済金（すなわち、ツアー終了後に添乗員の手元に残っている現金）」とを突き合わせして、不正な処理がないかをチェックすることが望まれる。
【０１９３】
そこで、本実施形態２は、ツアーナンバー毎の添乗員によって入金された返済金の内訳が分かるレシートを発行する構成（例えば、実施形態１のツアー精算レシートＲ３１の代わりに、ツアー精算レシートＲ３１ａ，Ｒ３１ｂ（図１９参照）を発行する構成）を提供する。これにより、本実施形態２は、添乗員によって入金された返済金について、事務所員（管理者や出納係）が、「ツアー精算レシートＲ３１ａ，Ｒ３１ｂ（図１９参照）」と「各種領収書」とを突き合わせして、不正な処理がないかを容易にチェックできるようにする。
【０１９４】
以下、図１８及び図１９を参照して、本実施形態２について説明する。図１８は、本実施形態２で用いる売上金の集計説明図である。図１９は、本実施形態２で発行するレシートの一例を示す図である。
【０１９５】
図１８は、図５に示す例と同様の棒グラフが示されている。そして、図１８は、添乗員によって入金された返済金の内訳として、出金額（持出金額）分から支出申告額（ツアーの経費の金額）を差し引いた差額に、収入申告額（ＯＰツアーの追加代金額）を加算した金額が返済金額となることを示している。なお、過不足金額は、その返済金額に対して発生する。
【０１９６】
本実施形態２では、現金入出金機１は、添乗員によって入金された返済金の内訳が分かるように、図４に示すＳ３３０の処理時に、ツアー精算レシートＲ３１ａ，Ｒ３１ｂ（図１９参照）を発行する。
【０１９７】
ツアー精算レシートＲ３１ａ（図１９（ａ）参照）は、ツアー精算レシートＲ３１（図１５（ｃ）参照）と同様の構成になっている。ただし、ツアー精算レシートＲ３１ａは、ツアー精算レシートＲ３１と比較すると、１行目に印字されたレシート枚数が「（１／２）」となっている点で相違している。
【０１９８】
一方、ツアー精算レシートＲ３１ｂ（図１９（ｂ）参照）は、取引種別とレシート枚数とが１行目に印字され、ツアーナンバーが２行目に印字され、売上金額が３行目に印字されている。また、ツアー精算レシートＲ３１ｂは、該当ツアーナンバーの売上の「内訳」として、合計預入金額と、合計出金額（持出金額）と、支出申告額（ツアーの経費の金額）と、収入申告額（Ｏｐツアーの追加台金額）と、汚損金額と、過不足金額とが４行目以降に印字されている。なお、前記した「返済金の内訳の金額」とは、これらのデータの中で、支出申告額（ツアーの経費の金額）と、収入申告額（Ｏｐツアーの追加台金額）と、汚損金額と、過不足金額とを意味している。
【０１９９】
このような本実施形態２では、現金入出金機１は、返済金が入金される入金取引時に、ツアーナンバーの入力、並びに、返済金の入金及び返済金の内訳の金額（例えば、支出申告額（ツアーの経費金額）や収入申告額（Ｏｐツアーの追加代金額）、入金できない汚損金の金額等）の入力を受け付け、入金された返済金の金額と入力された返済金の内訳の金額との過不足金額を算出することによって、入力されたツアーナンバーに該当するツアーの売上金を精算し、レシートプリンタ７に、過不足金額が印字されたツアー精算レシートＲ３１ｂ（図１９（ｂ）参照）を発行させる構成となっている。
【０２００】
これにより、本実施形態２は、添乗員によって入金された返済金について、事務所員（管理者や出納係）が、「ツアー精算レシートＲ３１ａ，Ｒ３１ｂ（図１９参照）」と「各種領収書」とを突き合わせして、不正な処理がないかを容易にチェックすることができる。
【０２０１】
以上の通り、本実施形態２によれば、実施形態１と同様に、現金入出金機１を旅行業に好適に用いることができる。
しかも、本実施形態２によれば、実施形態１に比べて、添乗員によって入金された返済金について、事務所員（管理者や出納係）が、「ツアー精算レシートＲ３１ａ，Ｒ３１ｂ（図１９参照）」と「各種領収書」とを突き合わせして、不正な処理がないかを容易にチェックすることができる。
【０２０２】
本発明は、前記した実施形態に限定されることなく、本発明の要旨を逸脱しない範囲で種々の変更や変形を行うことができる。
【０２０３】
例えば、現金入出金機１は、各種の取引時に、操作者が画面を見ずに操作することができるように、画像の表示だけでなく、音声による誘導も行うとよい。
【０２０４】
また、例えば、現金入出金機１は、Ｓ５３０で売上回収レシートＲ５１が発行されたときに、ツアー管理データＤ１０や売上金データＤ２０から該当するツアーナンバーに関するデータを抹消している。しかしながら、現金入出金機１は、任意の条件を満たす状態になったときに（例えば、売上金が回収されてから一定期間が経過したときに）、ツアー管理データＤ１０や売上金データＤ２０から該当するツアーナンバーに関するデータを抹消するようにしてもよい。
【符号の説明】
【０２０５】
１    現金取扱装置
２    制御部
２ａ    主制御部
２ｂ    搬送・鑑別制御部
２ｃ    入力制御部
２ｄ    表示制御部
２ｅ    取引実行部
２ｆ    扉監視部
２ｇ    抜取監視部
３    記憶部
４    カードリーダ部
５    操作表示部
６ａ    紙幣搬送部（搬送部）
６ｂ    硬貨搬送部（搬送部）
７    レシートプリンタ
８ａ    紙幣部
８ｂ    硬貨部
９ａ    紙幣部フロント扉
９ｂ    硬貨部フロント扉
１１    紙幣投入口
１２    紙幣一時保留部
１３    紙幣鑑別部
１４    リサイクルカセット（出金用現金収納部）
１４ａ    万円券カセット
１４ｂ    五千円券カセット
１４ｃ    千円券カセット
１７    売上回収カセット（売上回収庫）
１８    リジェクト部（紙幣リジェクト庫）
２１    硬貨投入口
２２    硬貨一時保留部
２３    硬貨鑑別部
２４    出金ホッパ（出金用現金収納部）
２５    硬貨出金箱
２７    硬貨回収庫
２８    硬貨リジェクト庫
２９    硬貨返却箱
５１    制御プログラム
５２    画面データ
Ｄ１０    ツアー管理データ
Ｄ２０    売上金データ
Ｒ１１    ツアー預入シート
Ｒ２１    ツアー持出シート
Ｒ３１，Ｒ３１ａ，Ｒ３１ｂ    ツアー精算シート
Ｒ４１    精算済みツアー集計シート
Ｒ４２    未精算ツアー集計シート
Ｒ５１    売上回収シート
ＳＣ１，ＳＣ２    装置情報画面
ＳＣ３，ＳＣ４    メニュー画面
ＳＣ１１，ＳＣ１２，ＳＣ１３    預入取引画面
ＳＣ２１，ＳＣ２２，ＳＣ２３，ＳＣ２４    出金取引画面
ＳＣ３１，ＳＣ３２，ＳＣ３３，ＳＣ３４，ＳＣ３５，ＳＣ３６，ＳＣ３７    入金取引画面
ＳＣ４１，ＳＣ４２    締め上げ取引画面
ＳＣ５１，ＳＣ５２，ＳＣ５３，ＳＣ５４，ＳＣ５５    売上回収取引画面
【図１】
2015118554.tif 000003
【図２】
2015118554.tif 000004
【図３Ａ】
2015118554.tif 000005
【図３Ｂ】
2015118554.tif 000006
【図４】
2015118554.tif 000007
【図５】
2015118554.tif 000008
【図６】
2015118554.tif 000009
【図７】
2015118554.tif 000010
【図８】
2015118554.tif 000011
【図９】
2015118554.tif 000012
【図１０】
2015118554.tif 000013
【図１１】
2015118554.tif 000014
【図１２】
2015118554.tif 000015
【図１３】
2015118554.tif 000016
【図１４】
2015118554.tif 000017
【図１５】
2015118554.tif 000018
【図１６】
2015118554.tif 000019
【図１７】
2015118554.tif 000020
【図１８】
2015118554.tif 000021
【図１９】
2015118554.tif 000022
【図２０】
2015118554.tif 000023